(57)【特許請求の範囲】
【請求項１】
ワイヤレス通信の方法であって、
送信時間インターバル（ＴＴＩ）構造内のチャネル状態情報（ＣＳＩ）基準信号についてのオフセットのインジケーションを受信することと、前記オフセットは、前記ＴＴＩ構造内の前記ＣＳＩ基準信号についての相対位置を表し、
コンテンション・ベーススペクトルにおいて、前記オフセットの前記インジケーションを受信した後に、前記ＴＴＩ構造に従った前記コンテンション・ベーススペクトルにおける送信を示すシグナリングを検出することと、
前記コンテンション・ベーススペクトルにおける前記送信を示す前記シグナリングを検出することに少なくとも部分的に基づいて、前記示されたオフセットによって識別される前記ＴＴＩ構造内の前記相対位置において前記コンテンション・ベーススペクトルにおけるＣＳＩ基準信号をモニタすることを決定することと、
前記モニタすることに少なくとも部分的に基づいて、前記示されたオフセットによって識別される前記ＴＴＩ構造内の前記相対位置において前記コンテンション・ベーススペクトルにおける前記ＣＳＩ基準信号を受信することと、
前記ＣＳＩ基準信号に少なくとも部分的に基づいてチャネル品質インジケータ（ＣＱＩ）を計算することと、
前記計算されたＣＱＩに少なくとも部分的に基づくＣＱＩ報告を送信することと
を備える、方法。
【請求項２】
セル固有の基準信号（ＣＲＳ）を受信することをさらに備え、ここにおいて前記ＣＱＩは、前記ＣＳＩ基準信号および前記ＣＲＳに少なくとも部分的に基づく、請求項１に記載の方法。
【請求項３】
前記ＴＴＩ構造に従った前記コンテンション・ベーススペクトルにおける前記送信を示す前記シグナリングは、前記ＴＴＩ構造に従った前記コンテンション・ベーススペクトルにおける前記送信の物理チャネルを備える、請求項１に記載の方法。
【請求項４】
前記ＴＴＩ構造に従った前記コンテンション・ベーススペクトルにおける前記送信を示す前記シグナリングは、前記ＴＴＩ構造に従った前記コンテンション・ベーススペクトルにおける前記送信の物理制御フォーマット・インジケータ・チャネル（ＰＣＦＩＣＨ）の一部分または前記ＴＴＩ構造に従った前記コンテンション・ベーススペクトルにおける前記送信の物理フレーム・フォーマット・インジケータ・チャネル（ＰＦＦＩＣＨ）の一部分を備える、請求項３に記載の方法。
【請求項５】
前記ＴＴＩ構造に従った前記コンテンション・ベーススペクトルにおける前記送信を示す前記シグナリングは、前記ＴＴＩ構造に従った前記コンテンション・ベーススペクトルにおける前記送信の物理ダウンリンク制御チャネル（ＰＤＣＣＨ）の一部分を備える、請求項３に記載の方法。
【請求項６】
前記ＣＳＩ基準信号は、複数のシンボル期間を備える、請求項１に記載の方法。
【請求項７】
前記ＣＳＩ基準信号の密度は、干渉測定ギャップに少なくとも部分的に基づく、請求項６に記載の方法。
【請求項８】
前記コンテンション・ベーススペクトルにおいて前記ＣＳＩ基準信号を受信することは、
ダウンリンク（ＤＬ）バーストの最後の送信時間インターバル（ＴＴＩ）において前記ＣＳＩ基準信号を受信すること、
を備える、請求項１に記載の方法。
【請求項９】
前記コンテンション・ベーススペクトルにおいて前記ＣＳＩ基準信号を受信することは、
第１のＣＳＩ基準信号および第２のＣＳＩ基準信号を備えるダウンリンク（ＤＬ）バーストを受信すること、ここにおいて前記ＣＱＩは、前記第１のＣＳＩ基準信号に少なくとも部分的に基づいて計算された第１のＣＱＩおよび前記第２のＣＳＩ基準信号に少なくとも部分的に基づいて計算された第２のＣＱＩを備える、
を備える、請求項１に記載の方法。
【請求項１０】
前記ＣＱＩを備える報告を送信することをさらに備え、ここにおいて前記報告は、前記ＣＱＩが前記ＣＳＩ基準信号に少なくとも部分的に基づくことのインジケーションを備える、請求項１に記載の方法。
【請求項１１】
ワイヤレス通信の方法であって、
送信時間インターバル（ＴＴＩ）構造内のチャネル状態情報（ＣＳＩ）基準信号についてのオフセットのインジケーションを送信することと、前記オフセットは、前記ＴＴＩ構造内の前記ＣＳＩ基準信号についての相対位置を表し、
前記オフセットの前記インジケーションを送信した後に、コンテンション・ベーススペクトルが送信のために利用可能であると決定することと、
前記決定することに少なくとも部分的に基づいて、および前記オフセットの前記インジケーションを送信した後に、前記コンテンション・ベーススペクトルにおける前記ＴＴＩ構造に従った送信を示すシグナリングを送信することと、
前記ＴＴＩ構造に従った送信において、前記示されたオフセットによって識別される前記ＴＴＩ構造内の前記相対位置において前記コンテンション・ベーススペクトルにおけるＣＳＩ基準信号を送信することと、
前記送信されたＣＳＩ基準信号に少なくとも部分的に基づいて計算されたＣＱＩを備える報告を受信することと、を備える、方法。
【請求項１２】
ＣＳＩ基準信号ベースのＣＱＩ報告のために構成されたユーザ機器（ＵＥ）を識別することをさらに備え、ここにおいて前記シグナリングは、前記ＵＥを識別することに少なくとも部分的に基づいて前記コンテンション・ベーススペクトルにおいて送信される、請求項１１に記載の方法。
【請求項１３】
前記ＣＱＩが、前記コンテンション・ベーススペクトルにおいて前記ＣＳＩ基準信号を送信することに少なくとも部分的に基づいて前記ＣＳＩ基準信号を使用して計算されたことを決定すること、
をさらに備える、請求項１１に記載の方法。
【請求項１４】
前記ＣＱＩが、ＵＥから受信されたインジケータに少なくとも部分的に基づいて前記ＣＳＩ基準信号を使用して計算されたことを決定すること、ここにおいて前記報告は、前記インジケータを備える、
をさらに備える、請求項１１に記載の方法。
【請求項１５】
多地点協調（ＣｏＭＰ）スキームにおいてＵＥをサービスするための送信パターンを決定することと、
前記送信パターンに少なくとも部分的に基づいて前記シグナリングおよび前記コンテンション・ベーススペクトルにおける前記ＣＳＩ基準信号を送信することと、をさらに備える、請求項１１に記載の方法。
【請求項１６】
前記コンテンション・ベーススペクトルにおいて前記ＣＳＩ基準信号を送信することは、前記シグナリングにしたがって、第１のユーザ機器（ＵＥ）に向けられた第１のＣＳＩ基準信号および第２のＵＥに向けられた第２のＣＳＩ基準信号を備える前記コンテンション・ベーススペクトルにおけるダウンリンク（ＤＬ）バーストを送信することを備え、
前記ＣＱＩを備える前記報告を受信することは、前記第１のＣＳＩ基準信号に少なくとも部分的に基づいて前記第１のＵＥによって計算された第１のＣＱＩを備える第１の報告を受信することと、前記第２のＣＳＩ基準信号に少なくとも部分的に基づいて前記第２のＵＥによって計算された第２のＣＱＩを備える第２の報告を受信することとを備える、請求項１１に記載の方法。
【請求項１７】
ワイヤレス通信のためのユーザ機器（ＵＥ）であって、
送信時間インターバル（ＴＴＩ）構造内のチャネル状態情報（ＣＳＩ）基準信号についてのオフセットのインジケーションを受信するための手段と、前記オフセットは、前記ＴＴＩ構造内の前記ＣＳＩ基準信号についての相対位置を表し、
コンテンション・ベーススペクトルにおいて、前記オフセットの前記インジケーションを受信した後に、前記ＴＴＩ構造に従った前記コンテンション・ベーススペクトルにおける送信を示すシグナリングを検出するための手段と、
前記コンテンション・ベーススペクトルにおける前記送信を示す前記シグナリングを検出することに少なくとも部分的に基づいて、前記示されたオフセットによって識別される前記ＴＴＩ構造内の前記相対位置において前記コンテンション・ベーススペクトルにおけるＣＳＩ基準信号をモニタすることを決定するための手段と、
前記モニタすることに少なくとも部分的に基づいて、前記示されたオフセットによって識別される前記ＴＴＩ構造内の前記相対位置において前記コンテンション・ベーススペクトルにおける前記ＣＳＩ基準信号を受信するための手段と、
前記ＣＳＩ基準信号に少なくとも部分的に基づいてチャネル品質インジケータ（ＣＱＩ）を計算するための手段と、
前記計算されたＣＱＩに少なくとも部分的に基づくＣＱＩ報告を送信するための手段と、を備える、ユーザ機器（ＵＥ）。
【請求項１８】
ワイヤレス通信のための基地局であって、
送信時間インターバル（ＴＴＩ）構造内のチャネル状態情報（ＣＳＩ）基準信号についてのオフセットのインジケーションを送信するための手段と、前記オフセットは、前記ＴＴＩ構造内の前記ＣＳＩ基準信号についての相対位置を表し、
前記オフセットの前記インジケーションを送信した後に、コンテンション・ベーススペクトルが送信のために利用可能であると決定するための手段と、
前記決定することに少なくとも部分的に基づいて、および前記オフセットの前記インジケーションを送信した後に、前記コンテンション・ベーススペクトルにおける前記ＴＴＩ構造に従った送信を示すシグナリングを送信するための手段と、
前記ＴＴＩ構造に従った送信において、前記示されたオフセットによって識別される前記ＴＴＩ構造内の前記相対位置において前記コンテンション・ベーススペクトルにおけるＣＳＩ基準信号を送信するための手段と、
前記送信されたＣＳＩ基準信号に少なくとも部分的に基づいて計算されたＣＱＩを備える報告を受信するための手段と、を備える、基地局。
【発明の詳細な説明】
【関連出願の相互参照】
【０００１】
[0001]  本願は、２０１５年６月１日に出願された「Channel State Information Reference Signals in Contention-Based Spectrum」と題されたSun他による米国仮特許出願第６２／１６９，４１８号、および２０１６年５月２３日に出願された「Channel State Information Reference Signals in Contention-Based Spectrum」と題されたSun他による米国特許出願第１５／１６１，６００号の優先権を主張し、それらの各々は、本願の譲受人に譲渡される。
【技術分野】
【０００２】
[0002]  下記は概して、ワイヤレス通信に関し、より具体的には、コンテンション・ベース・スペクトルにおけるチャネル状態情報（ＣＳＩ）基準信号（ＲＳ）に関する。
【背景技術】
【０００３】
[0003]  ワイヤレス通信システムは、音声、ビデオ、パケット・データ、メッセージング、ブロードキャストなどのようなさまざまなタイプの通信コンテンツを提供するために広く展開されている。これらのシステムは、利用可能なシステム・リソース（例えば、時間、周波数、および電力）を共有することによって複数のユーザとの通信をサポートすることが可能であり得る。そのような多元接続システムの例は、符号分割多元接続（ＣＤＭＡ）システム、時分割多元接続（ＴＤＭＡ）システム、周波数分割多元接続（ＦＤＭＡ）システム、および直交周波数分割多元接続（ＯＦＤＭＡ）システム（例えば、ロング・ターム・エボリューション（ＬＴＥ（登録商標））システム）を含む。ワイヤレス多元接続通信システムは、複数の基地局を含み得、各々が、複数の通信デバイスのための通信を同時にサポートし、それらは別名ユーザ機器（ＵＥ）として知られ得る。
【０００４】
[0004]  いくつかの場合では、ワイヤレス・デバイスは、アンライセンス、共有、または他のコンテンション・ベース・スペクトルにおいて動作し得る。このようなワイヤレス・デバイスはまた、複数のアンテナ・ポートに基づいて複数のレイヤを使用して送信を動作（例えば、受信）し得る。レイヤの数がしきい値を超える場合、共通のまたはセル固有の基準信号（ＣＲＳ）は、適切なＣＳＩを提供するには不十分であり得る。このことは、ロスト・パケット（lost packet）または他の通信の混乱を生じさせ得る。ＣＳＩの計算時にＣＳＩ ＲＳを用いることは、このような問題を軽減するのに役立ち得るが、ＣＳＩ ＲＳを使用するシステムは、コンテンション・ベース・スペクトルのコンテキストにおいて生じる特定の問題に対処する(account for)必要があり得る。
【発明の概要】
【０００５】
[0005]  コンテンション・ベース・スペクトルにおいて動作し得るユーザ機器（ＵＥ）は、チャネル状態情報（ＣＳＩ）基準信号（ＲＳ）（例えば、非周期的なＣＳＩ ＲＳ）の存在を示すためのシグナリングを受信し得、そのシグナリングにしたがってＣＳＩ ＲＳを受信し得る。そしてＵＥは、共通のまたはセル固有の基準信号（ＣＲＳ）に加えてＣＳＩ ＲＳに基づいてチャネル品質インジケータ（ＣＱＩ）を計算し、基地局にＣＱＩ報告を送信し得る。いくつかの場合では、ＣＳＩ ＲＳは、物理ダウンリンク制御チャネル（ＰＤＣＣＨ）の後に受信され得る。いくつかの場合では、準周期的なＣＳＩ ＲＳが用いられ得る。例えば、ＵＥは、周期的なアンカー・サブフレームを識別し、そのアンカー・サブフレームからの一定のオフセットに基づいてＣＳＩ ＲＳの位置を特定(locate)し得る。
【０００６】
[0006]  ワイヤレス通信の方法が説明される。方法は、ＣＳＩ ＲＳの存在を示すシグナリングを受信することと、受信されたシグナリングにしたがってＣＳＩ ＲＳを受信することと、ＣＳＩ ＲＳに少なくとも部分的に基づいてＣＱＩを計算することとを含み得る。
【０００７】
[0007]  ワイヤレス通信のための装置が説明される。装置は、ＣＳＩ ＲＳの存在を示すシグナリングを受信するための手段と、受信されたシグナリングにしたがってＣＳＩ ＲＳを受信するための手段と、ＣＳＩ ＲＳに少なくとも部分的に基づいてＣＱＩを計算するための手段とを含み得る。
【０００８】
[0008]  ワイヤレス通信のためのさらなる装置が説明される。装置は、プロセッサと、プロセッサと電気的に通信状態にあるメモリと、プロセッサによって実行されるとき、その装置に、ＣＳＩ ＲＳの存在を示すシグナリングを受信させ、受信されたシグナリングにしたがってＣＳＩ ＲＳを受信させ、ＣＳＩ ＲＳに少なくとも部分的に基づいてＣＱＩを計算させるように動作可能でありメモリに記憶されている命令と、を含み得る。
【０００９】
[0009]  ワイヤレス通信のためのコードを記憶する非一時的コンピュータ可読媒体が説明される。コードは、ＣＳＩ ＲＳの存在を示すシグナリングを受信することと、受信されたシグナリングにしたがってＣＳＩ ＲＳを受信することと、ＣＳＩ ＲＳに少なくとも部分的に基づいてＣＱＩを計算することとを実行可能な命令を含み得る。
【００１０】
[0010]  本書に説明される方法、装置、または非一時的コンピュータ可読媒体のいくつかの例は、ＣＲＳを受信するためのプロセス、特徴、手段、または命令をさらに含み得、ＣＱＩはＣＲＳに少なくとも部分的に基づく。さらに、または代替として、いくつかの例では、ＣＲＳを受信することは、ＣＲＳを備えるプリアンブルを受信することを備える。
【００１１】
[0011]  本書に説明される方法、装置、または非一時的コンピュータ可読媒体のいくつかの例は、ＰＤＣＣＨを受信するためのプロセス、特徴、手段、または命令をさらに含み得、ＣＳＩ ＲＳはＰＤＣＣＨの後に受信される。さらに、または代替として、いくつかの例では、ＣＳＩ ＲＳの存在を示すシグナリングは、物理チャネルを備える。
【００１２】
[0012]  本書に説明される方法、装置、または非一時的コンピュータ可読媒体のいくつかの例では、ＣＳＩ ＲＳの存在を示すシグナリングは、物理制御フォーマット・インジケータ・チャネル（ＰＣＦＩＣＨ）の一部分を備える。さらに、または代替として、いくつかの例では、ＣＳＩ ＲＳの存在を示すシグナリングは、物理フレーム・フォーマット・インジケータ・チャネル（ＰＦＦＩＣＨ）の一部を備える。
【００１３】
[0013]  本書で説明される方法、装置、または非一時的コンピュータ可読媒体のいくつかの例では、ＣＳＩ ＲＳは、複数のシンボル期間を備える。さらに、または代替として、いくつかの例では、ＣＳＩ ＲＳの密度は、干渉測定ギャップ（interference measurement gap）に少なくとも部分的に基づく。
【００１４】
[0014]  本書で説明される方法、装置、または非一時的コンピュータ可読媒体のいくつかの例において、ＣＳＩ ＲＳを受信することは、ダウンリンク（ＤＬ）バーストの最後の送信時間インターバル（ＴＴＩ）においてＣＳＩ ＲＳを受信することを備える。さらに、または代替として、いくつかの例では、ＣＳＩ ＲＳを受信することは、シグナリングにしたがって第１のＣＳＩ ＲＳおよび第２のＣＳＩ ＲＳを備えるＤＬ ＴＴＩバーストを受信することを備え、ＣＱＩは、第１のＣＳＩ ＲＳに少なくとも部分的に基づいて計算された第１のＣＱＩおよび第２のＣＳＩ ＲＳに少なくとも部分的に基づいて計算された第２のＣＱＩを備える。
【００１５】
[0015]  本書に説明される方法、装置、または非一時的コンピュータ可読媒体のいくつかの例は、ＣＱＩを備える報告を送信するためのプロセス、特徴、手段、または命令をさらに含み得、報告は、ＣＱＩがＣＳＩ ＲＳに少なくとも部分的に基づくことのインジケーションを備える。
【００１６】
[0016]  ワイヤレス通信の方法が説明される。方法は、ＣＳＩ ＲＳの存在を示す第１のサブフレームを識別することと、オフセットおよび識別された第１のサブフレームに少なくとも部分的に基づいて第２のサブフレームがＣＳＩ ＲＳを備えることを決定することと、第２のサブフレームの間にＣＳＩ ＲＳを受信することとを含み得る。
【００１７】
[0017]  ワイヤレス通信のための装置が説明される。装置は、ＣＳＩ ＲＳの存在を示す第１のサブフレームを識別するための手段と、オフセットおよび識別された第１のサブフレームに少なくとも部分的に基づいて第２のサブフレームがＣＳＩ ＲＳを備えることを決定するための手段と、第２のサブフレームの間にＣＳＩ ＲＳを受信するための手段とを含み得る。
【００１８】
[0018]  ワイヤレス通信のためのさらなる装置が説明される。装置は、プロセッサと、プロセッサと電気的に通信状態にあるメモリと、プロセッサによって実行されるとき、その装置に、ＣＳＩ ＲＳの存在を示す第１のサブフレームを識別させ、オフセットおよび識別された第１のサブフレームに少なくとも部分的に基づいて第２のサブフレームがＣＳＩ ＲＳを備えることを決定させ、第２のサブフレームの間にＣＳＩ ＲＳを受信させるように動作可能でありメモリに記憶されている命令と、を含み得る。
【００１９】
[0019]  ワイヤレス通信のためのコードを記憶する非一時的コンピュータ可読媒体が説明される。コードは、ＣＳＩ ＲＳの存在を示す第１のサブフレームを識別することと、オフセットおよび識別された第１のサブフレームに少なくとも部分的に基づいて第２のサブフレームがＣＳＩ ＲＳを備えることを決定することと、第２のサブフレームの間にＣＳＩ ＲＳを受信することとを実行可能である命令を含み得る。
【００２０】
[0020]  本書に説明される方法、装置、または非一時的なコンピュータ可読媒体のいくつかの例では、フレーム情報を決定することは、プリアンブルまたはＰＦＦＩＣＨ、またはそれら両方に少なくとも部分的に基づき、第１のサブフレームを識別することは、フレーム情報および第１のサブフレームの周期性に少なくとも部分的に基づいてフレームが第１のサブフレームを備えることを決定することを備える。さらに、または代替として、いくつかの例は、オフセットを示すシグナリングを受信するためのプロセス、特徴、手段または命令を含み得る。
【００２１】
[0021]  本書で説明される方法、装置、または非一時的コンピュータ可読媒体のいくつかの例では、オフセットは、所定の持続時間を備える。
【００２２】
[0022]  ワイヤレス通信の方法が説明される。方法は、ＣＳＩ ＲＳの存在を示すシグナリングを送信することと、シグナリングにしたがってＣＳＩ ＲＳを送信することと、ＣＳＩ ＲＳに少なくとも部分的に基づいて計算されたＣＱＩを備える報告を受信することとを含み得る。
【００２３】
[0023]  ワイヤレス通信のための装置が説明される。装置は、ＣＳＩ ＲＳの存在を示すシグナリングを送信するための手段と、シグナリングにしたがってＣＳＩ ＲＳを送信するための手段と、ＣＳＩ ＲＳに少なくとも部分的に基づいて計算されたＣＱＩを備える報告を受信するための手段とを含み得る。
【００２４】
[0024]  ワイヤレス通信のためのさらなる装置が説明される。装置は、プロセッサと、プロセッサと電気的に通信状態にあるメモリと、プロセッサによって実行されるとき、その装置に、ＣＳＩ ＲＳの存在を示すシグナリングを送信させ、シグナリングにしたがってＣＳＩ ＲＳを送信させ、ＣＳＩ ＲＳに少なくとも部分的に基づいて計算されたＣＱＩを備える報告を受信させるように動作可能でありメモリに記憶されている命令と、を含み得る。
【００２５】
[0025]  ワイヤレス通信のためのコードを記憶する非一時的コンピュータ可読媒体が説明される。コードは、ＣＳＩ ＲＳの存在を示すシグナリングを送信することと、シグナリングにしたがってＣＳＩ ＲＳを送信することと、ＣＳＩ ＲＳに少なくとも部分的に基づいて計算されたＣＱＩを備える報告を受信することとを実行可能である命令を含み得る。
【００２６】
[0026]  本書に説明される方法、装置、または非一時的コンピュータ可読媒体のいくつかの例は、ＣＳＩ ＲＳベースのＣＱＩ報告のために構成されたＵＥを識別するためのプロセス、特徴、手段、または命令をさらに含み得、シグナリングは、ＵＥを識別することに少なくとも部分的に基づいて送信される。さらに、または代替として、いくつかの例は、ＣＳＩ ＲＳを送信することに少なくとも部分的に基づいてＣＳＩ ＲＳを使用してＣＱＩが計算されたことを決定するためのプロセス、特徴、手段、または命令を含み得る。
【００２７】
[0027]  本書に説明される方法、装置、または非一時的コンピュータ可読媒体のいくつかの例は、ＵＥから受信されたインジケータに少なくとも部分的に基づいてＣＳＩ ＲＳを使用してＣＱＩが計算されたことを決定するためのプロセス、特徴、手段、または命令をさらに含み得、報告は、インジケータを備える。さらに、または代替として、いくつかの例は、多地点協調（ＣｏＭＰ）スキームでＵＥをサービスするための送信パターンを決定するための、および、送信パターンに少なくとも部分的に基づいてシグナリングおよびＣＳＩ ＲＳを送信するための、プロセス、特徴、手段、または命令を含み得る。
【００２８】
[0028]  本書に説明される方法、装置、または非一時的コンピュータ可読媒体のいくつかの例は、シグナリングにしたがって第１のユーザ機器（ＵＥ）に向けられた第１のＣＳＩ ＲＳと第２のＵＥに向けられた第２のＣＳＩ ＲＳとの両方を備えるＤＬバーストを送信することと、第１のＣＳＩ ＲＳに少なくとも部分的に基づいて第１のＵＥによって計算された第１のＣＱＩを備える第１の報告を受信することと、第２のＣＳＩ ＲＳに少なくとも部分的に基づいて第２のＵＥによって計算された第２のＣＱＩを備える第２の報告を受信することと、を行うためのプロセス、特徴、手段、または命令をさらに含み得る。
【００２９】
[0029]  ワイヤレス通信の方法が説明される。方法は、チャネルＣＳＩ ＲＳの存在を示す第１のサブフレームを識別することと、オフセットおよび識別された第１のサブフレームに少なくとも部分的に基づいて第２のサブフレームがＣＳＩ ＲＳを備えることを決定することと、第２のサブフレームの間にＣＳＩ ＲＳを送信することとを含み得る。
【００３０】
[0030]  ワイヤレス通信のための装置が説明される。装置は、チャネルＣＳＩ ＲＳの存在を示す第１のサブフレームを識別するための手段と、オフセットおよび識別された第１のサブフレームに少なくとも部分的に基づいて第２のサブフレームがＣＳＩ ＲＳを備えることを決定するための手段と、第２のサブフレームの間にＣＳＩ ＲＳを送信するための手段とを含み得る。
【００３１】
[0031]  ワイヤレス通信のためのさらなる装置が説明される。装置は、プロセッサと、プロセッサと電気的に通信状態にあるメモリと、プロセッサによって実行されるとき、その装置に、チャネルＣＳＩ ＲＳの存在を示す第１のサブフレームを識別させ、オフセットおよび識別された第１のサブフレームに少なくとも部分的に基づいて第２のサブフレームがＣＳＩ ＲＳを備えることを決定させ、第２のサブフレームの間にＣＳＩ ＲＳを送信させるように動作可能でありメモリに記憶されている命令と、を含み得る。
【００３２】
[0032]  ワイヤレス通信のためのコードを記憶する非一時的コンピュータ可読媒体が説明される。コードは、チャネルＣＳＩ ＲＳの存在を示す第１のサブフレームを識別することと、オフセットおよび識別された第１のサブフレームに少なくとも部分的に基づいて第２のサブフレームがＣＳＩ ＲＳを備えることを決定することと、第２のサブフレームの間にＣＳＩ ＲＳを送信することとを実行可能である命令を含み得る。
【００３３】
[0033]  本書に説明される方法、装置、または非一時的コンピュータ可読媒体のいくつかの例は、オフセットを示すシグナリングを送信するためのプロセス、特徴、手段、または命令をさらに含み得る。さらに、または代替として、いくつかの例では、オフセットは、所定の持続時間を備える。
【００３４】
[0034]  本開示の態様は、下記の図面を参照して説明される。
【図面の簡単な説明】
【００３５】
【図１】[0035]  図１は、本開示のさまざまな態様にしたがってコンテンション・ベース・スペクトルにおいてチャネル状態情報（ＣＳＩ）基準信号（ＲＳ）をサポートするワイヤレス通信システムの例を例示する。
【図２】[0036]  図２は、本開示のさまざまな態様にしたがってコンテンション・ベース・スペクトルにおいてＣＳＩ ＲＳをサポートするワイヤレス通信システムの例を例示する。
【図３】[0037]  図３は、本開示のさまざまな態様にしたがってコンテンション・ベース・スペクトルにおいてＣＳＩ ＲＳをサポートする送信時間インターバル（ＴＴＩ）セットの例を例示する。
【図４】[0038]  図４は、本開示のさまざまな態様にしたがってコンテンション・ベース・スペクトルにおいてＣＳＩ ＲＳをサポートするＣＳＩ ＲＳリソース・ブロック（ＲＢ）フォーマットの例を例示する。
【図５】[0039]  図５は、本開示のさまざまな態様にしたがったコンテンション・ベース・スペクトルにおけるＣＳＩ ＲＳフレーム位置の例を例示する。
【図６】[0040]  図６は、本開示のさまざまな態様にしたがってコンテンション・ベース・スペクトルにおいてＣＳＩ ＲＳをサポートするプロセス・フローの例を例示する。
【図７】図７は、本開示のさまざまな態様にしたがってコンテンション・ベース・スペクトルにおいてＣＳＩ ＲＳをサポートするプロセス・フローの例を例示する。
【図８】[0041]  図８は、本開示のさまざまな態様にしたがってコンテンション・ベース・スペクトルにおいてＣＳＩ ＲＳをサポートする１つまたは複数のワイヤレス・デバイスの図を示す。
【図９】図９は、本開示のさまざまな態様にしたがってコンテンション・ベース・スペクトルにおいてＣＳＩ ＲＳをサポートする１つまたは複数のワイヤレス・デバイスの図を示す。
【図１０】図１０は、本開示のさまざまな態様にしたがってコンテンション・ベース・スペクトルにおいてＣＳＩ ＲＳをサポートする１つまたは複数のワイヤレス・デバイスの図を示す。
【図１１】[0042]  図１１は、本開示のさまざまな態様にしたがってコンテンション・ベース・スペクトルにおいてＣＳＩ ＲＳをサポートする、ユーザ機器（ＵＥ）を含む、システムの図を例示する。
【図１２】[0043]  図１２は、本開示のさまざまな態様にしたがってコンテンション・ベース・スペクトルにおいてＣＳＩ ＲＳをサポートする１つまたは複数のワイヤレス・デバイスの図を示す。
【図１３】図１３は、本開示のさまざまな態様にしたがってコンテンション・ベース・スペクトルにおいてＣＳＩ ＲＳをサポートするデバイス、またはワイヤレス・デバイスの図を示す。
【図１４】図１４は、本開示のさまざまな態様にしたがってコンテンション・ベース・スペクトルにおいてＣＳＩ ＲＳをサポートするデバイス、またはワイヤレス・デバイスの図を示す。
【図１５】[0044]  図１５は、本開示のさまざまな態様にしたがってコンテンション・ベース・スペクトルにおいてＣＳＩ ＲＳをサポートする、基地局を含む、システムの図を例示する。
【図１６】[0045]  図１６は、本開示のさまざまな態様にしたがったコンテンション・ベース・スペクトルにおけるＣＳＩ ＲＳのための方法を例示する。
【図１７】図１７は、本開示のさまざまな態様にしたがったコンテンション・ベース・スペクトルにおけるＣＳＩ ＲＳのための方法を例示する。
【図１８】図１８は、本開示のさまざまな態様にしたがったコンテンション・ベース・スペクトルにおけるＣＳＩ ＲＳのための方法を例示する。
【図１９】図１９は、本開示のさまざまな態様にしたがったコンテンション・ベース・スペクトルにおけるＣＳＩ ＲＳのための方法を例示する。
【図２０】図２０は、本開示のさまざまな態様にしたがったコンテンション・ベース・スペクトルにおけるＣＳＩ ＲＳのための方法を例示する。
【図２１】図２１は、本開示のさまざまな態様にしたがったコンテンション・ベース・スペクトルにおけるＣＳＩ ＲＳのための方法を例示する。
【図２２】図２２は、本開示のさまざまな態様にしたがったコンテンション・ベース・スペクトルにおけるＣＳＩ ＲＳのための方法を例示する。
【発明を実施するための形態】
【００３６】
[0046]  ワイヤレス・システムは、チャネルコンディションを決定するために、共通またはセル固有の基準信号（ＣＲＳ）あるいはチャネル状態情報（ＣＳＩ）基準信号（ＲＳ）、もしくはそれら両方、のような信号を使用し得る。例えば、いくつかのシステムでは、最大４個のアンテナ・ポートが、ＣＲＳベースの測定値でサポートされ得、一方でＣＳＩ ＲＳベースの測定値は、より多くのアンテナ・ポートが用いられる場合に使用され得る。ＣＳＩ ＲＳは、周期的、非周期的、または準周期的な基準で送信され得る。
【００３７】
[0047]  非周期的なＣＳＩ ＲＳは、いつＣＳＩ ＲＳが使用のために存在するかを示すためにシグナリングを使用し得る。ユーザ機器（ＵＥ）によるＣＳＩ ＲＳの使用は、上述のように、使用されているアンテナ・ポートの数、並びにＣＳＩ ＲＳが存在しているかどうか、に依存し得る。チャネル品質報告は、ＣＳＩ ＲＳが利用可能である場合に非周期的なＣＳＩ ＲＳに基づき得る。非周期的なＣＳＩ ＲＳ送信設計は、いくつかの場合では、特定の送信時間インターバル（ＴＴＩ）におけるＣＳＩ ＲＳの存在を示すために、さまざまな物理チャネル、例えば、物理制御フォーマット・インジケータ・チャネル（ＰＣＦＩＣＨ）または物理フレーム・フォーマット・インジケータ・チャネル（ＰＦＦＩＣＨ）を使用することができる。
【００３８】
[0048]  いくつかの場合では、周期的なＣＳＩ ＲＳは、コンテンション・ベース・スペクトルのために用いられ得る。例えば、サブフレーム内のオフセットおよび期間(period)によって規定された固定のＣＳＩ ＲＳ位置が使用され得る。ＣＳＩ ＲＳの期間および位置はＵＥに示され得るが、非周期的なＣＳＩ ＲＳとは異なって、ＣＳＩ ＲＳの存在または不存在は、動的に示されない場合がある。
【００３９】
[0049]  準周期的なＣＳＩ ＲＳ設計もまた、いくつかの例において使用され得る。例えば、ＣＳＩ ＲＳ送信は、アンカー・サブフレームに関連付けされ得るいくつかの期間にしたがって送信され得るが、しかしながら、アンカー・サブフレームは、各無線フレームに含まれる場合も含まれない場合もある。アンカー・サブフレームを含むそれらのフレームに関しては、ＣＳＩ ＲＳ送信は、フレームの別のサブフレームにおいて生じ得る。かくして、実際のＣＳＩ ＲＳサブフレームは、フレームにおける固定の相対位置にあることができ、固定の相対位置は、ＵＥに既知であり得る。
【００４０】
[0050]  他の例では、ダウンリンク・クリア・チャネル・アセスメント免除送信（Ｄ−ＣＥＴ：downlink clear channel assessment exempt transmission）に基づくＣＳＩ ＲＳが使用され得る。ＣＳＩ ＲＳは、例えば、周期的なＤ−ＣＥＴに含まれ得る。
【００４１】
[0051]  上記に紹介された周期的、非周期的および準周期的ＣＳＩ ＲＳスキームのさらなる詳細を含む、本開示の態様は、ワイヤレス通信システムのコンテキストで以下に説明される。そして、非周期的なＣＳＩ ＲＳ、周期的ＣＳＩ ＲＳ、およびＣＳＩ ＲＳトーン配置（CSI RS tone placement）に関わる特定の例が、説明される。本開示のこれらの態様および他の態様はさらに、コンテンション・ベース（例えば、アンライセンスまたは共有）スペクトルにおけるＣＳＩ ＲＳに関わる、装置の図、システムの図、およびフローチャートによって例示され、それらを参照して説明される。
【００４２】
[0052]  図１は、本開示のさまざまな態様にしたがって、ワイヤレス通信システム１００の例を例示する。ワイヤレス通信システム１００は、基地局１０５、ＵＥ１１５、およびコア・ネットワーク１３０を含む。いくつかの例において、ワイヤレス通信システム１００は、ロング・ターム・エボリューション（ＬＴＥ）／ＬＴＥ−アドバンスド（ＬＴＥ−ａ）ネットワークであり得る。ワイヤレス通信システム１００は、共有またはアンライセンス・スペクトルのようなコンテンション・ベース・スペクトルを使用し得る。さらに、ＵＥ１１５および基地局１０５は、複数のアンテナ・ポートに基づいて複数のレイヤを使用して動作（例えば、受信および送信）し得る。レイヤの数がしきい値を超える場合、チャネル状態情報ＣＳＩ ＲＳは、チャネル状態情報を決定するために、ＣＲＳに加えて、またはそれに代わって、使用され得る。
【００４３】
[0053]  基地局１０５は、１つまたは複数の基地局アンテナを介してＵＥ１１５とワイヤレスで通信し得る。各基地局１０５は、通信カバレッジをそれぞれの地理的カバレッジ・エリア１１０に提供し得る。ワイヤレス通信システム１００中に示される通信リンク１２５は、ＵＥ１１５から基地局１０５へのアップリンク（ＵＬ）送信、または基地局１０５からＵＥ１１５へのダウンリンク（ＤＬ）送信を含み得る。ＵＥ１１５は、ワイヤレス通信システム１００全体にわたって分散され得、各ＵＥ１１５は、固定式または移動式であり得る。ＵＥ１１５はまた、移動局、加入者局、遠隔ユニット、ワイヤレス・デバイス、アクセス端末、ハンドセット、ユーザ・エージェント、クライアント、または何らかの他の適切な専門用語で呼ばれ得る。ＵＥ１１５はまた、セルラ電話、ワイヤレス・モデム、携帯用デバイス、パーソナル・コンピュータ、タブレット、パーソナル電子デバイス、マシン型通信（ＭＴＣ）デバイスまたは同様のものであり得る。
【００４４】
[0054]  複数の基地局１０５は、コア・ネットワーク１３０と、および互いに、通信し得る。例えば、基地局１０５は、バックホール・リンク１３２（例えば、Ｓ１など）を通してコア・ネットワーク１３０とインターフェースで接続し得る。基地局１０５は、バックホール・リンク１３４（例えば、Ｘ２など）にわたって、（例えば、コア・ネットワーク１３０を通じて）間接的に、または直接、互いに通信し得る。基地局１０５は、ＵＥ１１５との通信のための無線構成およびスケジューリングを実施し得るか、または基地局コントローラ（図示せず）の制御のもとで動作し得る。いくつかの例では、基地局１０５は、マクロ・セル、スモール・セル、ホット・スポット、または同様のものであり得る。基地局１０５はまた、ｅノードＢ（ｅＮＢ）１０５と呼ばれ得る。
【００４５】
[0055]  ＵＥ１１５は、例えば、多入力多出力（ＭＩＭＯ）、多地点協調（ＣｏＭＰ）、または他のスキームを通じて、複数の基地局１０５と協調して通信するように構成され得る。ＭＩＭＯ技法は、複数のデータ・ストリームを送信するためのマルチパス環境を利用するために、基地局上の複数のアンテナまたはＵＥ上の複数のアンテナを使用する。ＣｏＭＰは、ネットワークおよびスペクトル利用を増加させることに加え、ＵＥのための全体的な送信品質を向上させるために、複数の基地局１０５による送信および受信の動的協調のための技術を含む。
【００４６】
[0056]  基地局１０５は、ＵＥ１１５のチャネル推定およびコヒーレント復調を助けるためにダウンリンク送信におけるＣＲＳのような周期的なパイロット・シンボルをインサートし得る。ＣＲＳは、複数の（例えば５０４個の）異なるセル・アイデンティティのうちの１つを含み得る。それらは、それらがノイズおよび干渉に対する回復力を持つ（resilient）ようにするために、直角位相シフト・キーイング（ＱＰＳＫ）を使用して変調され得、パワー・ブーストされ得（例えば、周りのデータ・エレメントより６ｄＢ高いところで送信され得）る。ＣＲＳは、受信するＵＥ１１５のアンテナ・ポートまたはレイヤの（最大４個の）数に基づいて各リソース・ブロックで４から１６個のリソース・エレメントに組み込まれ得る。基地局１０５のカバレッジ・エリア１１０においてすべてのＵＥ１１５によって使用され得るＣＲＳに加えて、ＵＥ固有の基準信号すなわちＵＥ ＲＳとも呼ばれる復調基準信号（ＤＭＲＳ）が、特定のＵＥ１１５に向けられ得、それらのＵＥ１１５に割り当てられたリソース・ブロックにおいて送信され得る。ＤＭＲＳは、それらが送信される各リソース・ブロックにおいて６個のリソース・エレメント上の信号を含み得る。異なるアンテナ・ポートのためのＤＭＲＳは、各々同じ６個のリソース・エレメントを使用し得、異なる直交カバー・コードを使用して（例えば、異なるリソース・エレメントで１または−１の異なる組み合わせで各信号をマスキングして）区別され得る。いくつかの場合では、ＤＭＲＳの２つのセットは、隣接しているリソース・エレメントにおいて送信され得る。いくつかの場合では、ＣＳＩ ＲＳとして知られている追加の基準信号は、例えば、しきい値の数より多くの情報レイヤを信号に含む場合に、ＣＳＩを生成することを助けるために含まれ得る。ＵＬにおいて、ＵＥ１１５は、それぞれリンク適応および復調のためにＵＬ ＤＭＲＳと周期的なサウンディング基準信号（ＳＲＳ）との組み合わせを送信し得る。
【００４７】
[0057]  基地局１０５は、チャネル（例えば、通信リンク１２５）を有効に構成およびスケジューリングするためにＵＥ１１５からチャネルコンディション情報を集め得る。この情報は、チャネル状態報告すなわちＣＳＩの形態でＵＥ１１５から送られ得る。チャネル状態報告は、（例えば、ＵＥ１１５のアンテナ・ポートに基づいて）ＤＬ送信のために使用されるべきレイヤの数を要求するランク・インジケータ（ＲＩ）と、（レイヤの数に基づいて）プリコーダ・マトリックスが使用されるべきプリファレンスを示すプリコーディング・マトリックス・インジケータ（ＰＭＩ）と、使用され得る最高変調およびコード化スキーム（ＭＣＳ）を表すチャネル品質インジケーション（ＣＱＩ）とを含み得る。ＣＱＩは、ＣＲＳまたはＣＳＩ ＲＳのような、上述の所定のパイロット・シンボルを受信した後に、ＵＥ１１５によって計算され得る。ＲＩおよびＰＭＩは、ＵＥ１１５が空間多重化をサポートしない（またはサポート空間モードでない）場合、除外され得る。報告に含まれる情報のタイプは、報告タイプを決定し得る。チャネル状態報告は、周期的または非周期的であり得る。すなわち、基地局１０５は、規則的なインターバルで周期的な報告を送るようにＵＥ１１５を構成し得、また、使用されるべき追加の報告を要求し得る。非周期的な報告は、全体のセル帯域幅にわたってチャネル品質を示す広帯域報告、好ましいサブバンドのサブセットを示すＵＥ選択報告（UE selected report）、または報告されるサブバンドが基地局１０５によって選択される構成報告（configured report）を含み得る。本開示にしたがって、ワイヤレス通信システム１００は、コンテンション・ベース・スペクトルにおいて非周期的なＣＳＩ ＲＳを使用し得る。
【００４８】
[0058]  ＵＥ１１５または基地局１０５は、共有またはアンライセンス周波数スペクトルにおいて動作（例えば、通信）し得、それは、さまざまなデバイスがスペクトル・リソースにアクセスするために競合し得るので、本書ではコンテンション・ベース・スペクトルと呼ばれる。これらのデバイスは、チャネルが利用可能であるかどうかを決定するために通信する前にクリア・チャネル・アセスメント（ＣＣＡ）を実施し得る。ＣＣＡは、何らかの他のアクティブな送信があるかどうかを決定するためにエネルギー検出プロシージャを含み得る。例えば、デバイスは、パワー・メータの受信信号強度インジケーション（ＲＳＳＩ）の変化が、チャネルが使用されていることを示すことを推測し得る。具体的に、特定の帯域幅において集中しており、所定のノイズ・フロアを超えている信号電力が、別のワイヤレス送信機を示し得る。ＣＣＡはまた、チャネルの使用を示す特定のシーケンスの検出を含み得る。例えば、別のデバイスは、データ・シーケンスを送信する前に特定のプリアンブルを送信し得る。いくつかの場合では、送信は、ＣＣＡを実施することを免除され得る。このような送信は、ＣＣＡ免除送信（ＣＥＴ）として認識され得、より具体的には、Ｄ−ＣＥＴまたはアップリンクＣＥＴ（Ｕ−ＣＥＴ）と呼ばれ得る。
【００４９】
[0059]  いくつかの場合では、ワイヤレス通信システム１００は、１つまたは複数のエンハンスド・コンポーネント・キャリア（ｅＣＣ）を使用し得る。ｅＣＣは、フレキシブルな帯域幅、異なる送信時間インターバル（ＴＴＩ）および修正されたコントロール・チャネル構成を含む１つまたは複数の特徴によって、特徴付けられ得る。いくつかの場合では、ｅＣＣは、（例えば複数のサービング・セルが、準最適なバックホール・リンクを有する場合、）二重接続構成（dual connectivity configuration）またはキャリア・アグリゲーション（ＣＡ）構成に関連付けされ得る。ｅＣＣはまた、アンライセンス・スペクトルまたは、（例えば、２人以上のオペレータがスペクトルを使用することをライセンスされている場合）共有スペクトルを含むコンテンション・ベース・スペクトルでの使用のために構成され得る。フレキシブルな帯域幅によって特徴付けられているｅＣＣは、全帯域幅をモニタすることができない、または（例えば電力を節約するために）制限された帯域幅を使用することを好む特定のＵＥ１１５（例えばＭＴＣ）によって使用され得る１つまたは複数のセグメントを含み得る。
【００５０】
[0060]  フレーム構造は、通信リンク１２５を介する通信のための物理的なリソースを体系化するために使用され得る。フレームは、１０個の同等のサイズのサブフレームにさらに分割され得る１０ｍｓインターバルであり得る。各サブフレームは、２個の連続したタイム・スロットを含み得る。各スロットは、６または７の直交周波数分割多元接続（ＯＦＤＭＡ）シンボル期間を含み得る。リソース・エレメントは、１シンボル期間および１サブキャリア（１５ＫＨｚの周波数範囲）から構成される。リソース・ブロックは、周波数領域において１２の連続するサブキャリアを包含し、各ＯＦＤＭシンボルにおける通常のサイクリック・プリフィックスでは、時間領域（１スロット）における７の連続するＯＦＤＭシンボルを包含し、すなわち、８４のリソース・エレメントを包含し得る。いくつかのＲＥは、ＤＬ基準信号（ＤＬ−ＲＳ）を含み得る。ＤＬ−ＲＳは、ＣＲＳ、ＵＥ−ＲＳ、またはＣＳＩ−ＲＳ、あるいは、これら３つの組み合わせを含み得る。各リソース・エレメントによって搬送されるビットの数は、変調スキーム（各シンボル期間中に選択され得るシンボルの構成）に依存し得る。かくして、ＵＥ１１５が受信するリソース・ブロックがより多いほど、および変調スキームがより高度であるほど、データ・レートはより高くなり得る。
【００５１】
[0061]  いくつかの場合では、ｅＣＣは、他のコンポーネント・キャリア（ＣＣ）とは異なるＴＴＩ長を使用し得、それは、他のＣＣのＴＴＩと比較して、減じられた、または可変のシンボル持続時間の使用を含み得る。シンボル持続時間は、いくつかの場合、同じであり続けるが、各シンボルは、異なるＴＴＩを示し得る。いくつかの例では、ｅＣＣは、異なるＴＴＩ長に関連付けされた複数の階層レイヤを含み得る。例えば、１つの階層レイヤにおけるＴＴＩは、統一された１ｍｓサブフレームに対応し得、一方で第２のレイヤでは、可変の長さのＴＴＩが、短い持続時間のシンボル期間のバーストに対応し得る。いくつかの場合では、より短いシンボル持続時間がまた、サブキャリアの間隔の増大に関連付けられ得る。減じられたＴＴＩ長と関連して、ｅＣＣは、動的な時分割複信（ＴＤＤ）動作を使用し得る（すなわち、それは、動的コンディションにしたがって、短いバーストのために、ＤＬからＵＬの動作に切替え得る。）
【００５２】
[0062]  フレキシブルな帯域幅および可変のＴＴＩは、修正された制御チャネル構成に関連付けされ得る（例えば、ｅＣＣは、ＤＬ制御情報に関わるエンハンスド物理ダウンリンク制御チャネル（ｅＰＤＣＣＨ）を使用し得る）。例えば、ｅＣＣの１つまたは複数の制御チャネルは、フレキシブルな帯域幅の使用に対応するために、周波数分割多重（ＦＤＭ）スケジューリングを使用し得る。他の制御チャネル修正は、（例えば先進型マルチメディア・ブロードキャスト・マルチキャスト・サービス（ｅＭＢＭＳ）スケジューリングのための、または、可変の長さのＵＬおよびＤＬバーストの長さを示すための、）追加の制御チャネルの使用を含み、あるいは、異なるインターバルで送信される制御チャネルの使用を含む。ｅＣＣはまた、修正されたまたは追加のハイブリッド自動再送要求（ＨＡＲＱ）関連の制御情報を含み得る。
【００５３】
[0063]  以下に説明されるように、ＵＥ１１５は、いくつかの場合では、ＣＳＩ ＲＳ（例えば、非周期的なＣＳＩ ＲＳ）の存在を示すためのシグナリングを受信し得、シグナリングにしたがってＣＳＩ ＲＳを受信し得る。そしてＵＥ１１５は、ＣＳＩ ＲＳまたはＣＲＳ、またはそれら両方に基づいてＣＱＩを計算し得、基地局１０５への報告においてＣＱＩを送信し得る。いくつかの場合では、ＣＳＩ ＲＳは、ＰＤＣＣＨの後に（例えばＰＤＣＣＨの直後のシンボル期間に）受信され得る。他の場合では、準周期的なＣＳＩ ＲＳスキームが用いられ得、ＵＥ１１５は、周期的なアンカー・サブフレームを識別し得、アンカー・サブフレームからのオフセットに基づいてＣＳＩ ＲＳを有するサブフレームの位置を特定し得る。ＣＳＩ ＲＳの存在を示すシグナリングは、ＵＥ１１５に、（例えば、共通の物理ダウンリンク制御チャネル（Ｃ−ＰＤＣＣＨ）、ＰＣＦＩＣＨ、ＰＦＦＩＣＨまたは同等のものを介して）ブロードキャストされ、または（例えば、ＰＤＣＣＨを介して）ユニキャストされ得る。いくつかの場合では、シグナリングは、サブフレームのタイプおよびサブフレーム長の両方のインジケーションを含み得る。
【００５４】
[0064]  図２は、本開示のさまざまな態様にしたがってコンテンション・ベース・スペクトルにおけるＣＳＩ ＲＳのためのワイヤレス通信システム２００の例を例示する。ワイヤレス通信システム２００は、ＵＥ１１５−ａおよび基地局１０５−ａを含み得、それらは、図１を参照して説明されたＵＥ１１５および基地局１０５の例であり得る。ワイヤレス通信システム２００は、ＣＱＩ報告をサポートするために、周期的、非周期的、準周期的、またはＤ−ＣＥＴベースのＣＳＩ ＲＳを使用し得る。
【００５５】
[0065]  ダウンリンク・チャネル２２０およびアップリンク・チャネル２２５は、基地局１０５−ａとＵＥ１１５−ａとの間でデータおよび制御情報を通信するために使用され得る。ダウンリンク・チャネル２２０およびアップリンク・チャネル２２５は、さまざまなデータまたは制御チャネルを示し得る。例えば、チャネルは、論理チャネル、トランスポート・チャネル、および物理レイヤ・チャネルとして示されるか、それらに分割され得る。ダウンリンク・チャネル２２０はまた、制御チャネルおよびトラフィック・チャネルに分類され得る。
【００５６】
[0066]  論理制御チャネルは、ページング情報のためのページング制御チャネル（ＰＣＣＨ）、ブロードキャスト・システム制御情報のためのブロード制御チャネル（ＢＣＣＨ）、マルチメディア・ブロードキャスト・マルチキャスト・サービス（ＭＢＭＳ）スケジューリングおよび制御情報を送信するためのマルチキャスト制御チャネル（ＭＣＣＨ）、専用制御情報を送信するための専用制御チャネル（ＤＣＣＨ）、ランダム・アクセス情報のための共通の制御チャネル（ＣＣＣＨ）、専用ＵＥデータのための専用トラフィック・チャネル（ＤＴＣＨ）、およびマルチキャスト・データのためのマルチキャスト・トラフィック・チャネル（ＭＴＣＨ）を含み得る。
【００５７】
[0067]  ＤＬトランスポート・チャネルは、ブロードキャスト情報のためのブロードキャスト・チャネル（ＢＣＨ）、データ転送のためのダウンリンク共有チャネル（ＤＬ−ＳＣＨ）、ページング情報のためのページング・チャネル（ＰＣＨ）、およびマルチキャスト送信のためのマルチキャスト・チャネル（ＭＣＨ）を含み得る。ＵＬトランスポート・チャネルは、アクセスのためのランダム・アクセス・チャネル（ＲＡＣＨ）、およびデータのためのアップリンク共有チャネル（ＵＬ−ＳＣＨ）を含み得る。
【００５８】
[0068]  ＤＬ物理チャネルは、ブロードキャスト情報のための物理ブロードキャスト・チャネル（ＰＢＣＨ）、制御フォーマット情報のためのＰＣＦＩＣＨ、（例えば、コンテンション・ベース・スペクトルにおける）フレーム・フォーマット情報のためのＰＦＦＩＣＨ、制御およびスケジューリング情報のための物理ダウンリンク制御チャネル（ＰＤＣＣＨ）、ＨＡＲＱ状態メッセージのための物理ＨＡＲＱインジケータ・チャネル（ＰＨＩＣＨ）、ユーザ・データのための物理ダウンリンク共有チャネル（ＰＤＳＣＨ）およびマルチキャスト・データのための物理マルチキャスト・チャネル（ＰＭＣＨ）、さまざまな送信機会（ＴｘＯＰ）に関わる情報を含む、フレーム・フォーマットまたはタイミング情報のためのＣ−ＰＤＣＣＨ、を含み得る。ＵＬ物理チャネルは、アクセス・メッセージのための物理ランダム・アクセス・チャネル（ＰＲＡＣＨ）、制御データのための物理アップリンク制御チャネル（ＰＵＣＣＨ）、およびユーザ・データのための物理アップリンク共有チャネル（ＰＵＳＣＨ）を含み得る。
【００５９】
[0069]  基地局１０５−ａからＵＥ１１５−ａへのダウンリンク・チャネル２２０は、例えば、複数の送信レイヤを使用し得、ダウンリンク物理チャネル（例えば、ＰＤＣＣＨ、Ｃ−ＰＤＣＣＨ、ＰＦＦＩＣＨ、ＰＣＦＩＣＨ）を含み得、それらは、ＣＳＩ ＲＳシンボルまたはＣＲＳシンボルを含むシンボルの存在を示し得る。アップリンク・チャネル２２５はまた、上述されたさまざまなアップリンク・チャネルを使用してデータおよび制御を送信するために使用され得る。例えば、ＵＥ１１５−ａは、（例えば、ＣＲＳ、ＣＳＩ ＲＳ、またはそれら両方に基づいて）ＣＱＩを計算および送信し得る。基準信号構成は、非周期的なＣＳＩ ＲＳ、周期的なＣＳＩ ＲＳ、準周期的なＣＳＩ ＲＳ、またはＤ−ＣＥＴベースのＣＳＩ ＲＳを含み得る。
【００６０】
[0070]  ｅＣＣ動作において（例えば、ＵＥ１１５−ａがｅＣＣまたはコンテンション・ベース・スペクトルを使用する他のキャリアで構成される例については）、特定のプリアンブルが送信され得、それは、特定の数のアンテナ・ポート（例えばＣＲＳポートのうち最大４個）のためのＣＲＳとしての役割を果たすか、それを含み得る。しかしながら、いくつかの場合では、上述のように、より多くの数のアンテナ・ポート（例えば、８個のアンテナ・ポート動作）が使用され得る。このような動作は、例えば、低いドップラーの（low-Doppler）、フラット・フェージング・チャネルのＵＥ（flat-fading-channel UE）１１５（例えば、ＵＥ１１５−ａ）を目的にするために用いられる。コンテンション・ベース・スペクトルにおけるこのより上位のランク（例えば増加したレイヤ）の動作は、合理的に低いオーバーヘッドで、データＲＥをパンクチャすることなく、ＣｏＭＰ動作をサポートして、ＣＱＩ測定のために（例えば、フレーム構造に統合された）ＣＳＩ ＲＳを使用して本書に説明されるように達成され得る。
【００６１】
[0071]  いくつかの異なるＣＳＩ ＲＳ送信スキームは、コンテンション・ベース・スペクトルにおけるより上位のランクの送信のためのＣＱＩをサポートするためにさまざまに用いられ得る。例えば、非周期的なスキームにおいて、ＣＳＩ ＲＳは、送信のＰＤＣＣＨ部分の後のＯＦＤＭシンボルにおいて含まれ得る。さまざまな例では、このようなシンボルの存在は、物理チャネル（または物理チャネルの一部分）、例えばＰＣＦＩＣＨまたはＰＦＦＩＣＨで示され得る。非周期的なＣＳＩ ＲＳは、ＣＲＳとともに用いられ得、それは、ＵＥ１１５−ａがＣＱＩを計算するためにＣＳＩ ＲＳおよびＣＲＳの両方を使用することを可能にし得る。ＣＳＩ ＲＳが存在しない場合、ＵＥ１１５−ａは、ＣＱＩを計算するためにＣＲＳを使用し得る。いくつかの場合では、非周期的なＣＳＩ ＲＳは、専用の、オン・デマンドのＣＳＩ ＲＳのために用いられ得る。例えば、ＵＥ１１５−ａは、ＣＳＩ ＲＳを有するＤＬバーストの後にＣＱＩを報告するようにトリガされ得、一方で他のＵＥはＣＲＳに依存し得る。
【００６２】
[0072]  いくつかの例では、基地局１０５−ａは、ＤＬバーストにおいて２つ以上のＣＳＩ ＲＳを送信し得る。すなわち、基地局１０５−ａは、１つまたは複数のＵＥ１１５に向けられた異なるＣＳＩ ＲＳを含むＤＬバーストを送信し得る。例えば、基地局１０５−ａは、ＵＥ１１５に向けられた第１のＣＳＩ ＲＳおよび異なるＵＥ１１５に向けられた第２のＣＳＩ ＲＳを含むＤＬバーストを送信し得る。かくしてＵＥ１１５は、ＤＬバーストに含まれるそれぞれのＣＳＩ ＲＳにしたがって異なるＣＱＩを計算し得る。
【００６３】
[0073]  上述のように、ＣＳＩ ＲＳの存在は、ＰＣＦＩＣＨを使用して示され得る。いくつかの場合では、ＰＣＦＩＣＨは、２個のビットを使用して構成され（例えば搬送され）、それは、ＰＤＣＣＨのための１、２、または３個のＯＦＤＭシンボルを示すために使用され得る。いくつかの例では、非周期的なＣＳＩ ＲＳスキームは、例えば、ＴＴＩにおけるＣＳＩ ＲＳの存在を示すためにＰＣＦＩＣＨの「１１」の典型的にリザーブされたフィールドを使用し得る。例えば、値「１１」を有するＰＣＦＩＣＨは、２個のＣＳＩ ＲＳシンボルによって後続される２個のＰＤＣＣＨを意味することができる。いくつかの場合では、この解釈は、各ＴＴＩよりむしろ最後のＴＴＩに適用し得る。このような非周期的なＣＳＩ ＲＳは、リソース割り当てのための柔軟性を与え得、例えば、地理的カバレッジ・エリア１１０−ａ内にＣＳＩ ＲＳを使用するために構成されるＵＥ１１５が無い場合、基地局１０５−ａ（またはネットワーク・オペレータ）は、ダウンリンク送信にＣＳＩ ＲＳを含めないことを単純に選択し得る。
【００６４】
[0074]  さらに、または代替として、ＣＳＩ ＲＳの存在は、ＰＦＦＩＣＨを使用して示され得る。いくつかの場合では、ＰＣＦＩＣＨのリザーブされたフィールドは利用可能でないことがあり得、ＰＦＦＩＣＨを使用することが、別の容易に利用可能なオプションを提供し得る。例えば、ＰＦＦＩＣＨは、既知のＣＳＩ ＲＳ位置を有する複数の特殊なフレーム・フォーマットを示すために、１つまたは複数のエントリ（例えば、フィールド）で構成され得る。ＰＦＦＩＣＨは、いくつかの例では、各フレーム・フォーマットにおけるＣＳＩ ＲＳの存在を示すために使用され得る追加のビットで構成され得る。
【００６５】
[0075]  非周期的なＣＳＩ ＲＳスキームは、ＣｏＭＰ動作（例えば複数の基地局１０５からの同時の送信）のために構成され得る。例えば、特定のＬＴＥ／ＬＴＥ−Ａシステム（例えば、それらはＬＴＥ規格のリリース１０を用いる）を含む、いくつかのシステムは、ＣｏＭＰ動作をサポートするために複数のＣＳＩ ＲＳプロセスでＵＥ１１５を構成し得る。このような場合では、ＵＥ１１５は、１つまたは複数のＣＳＩ ＲＳ／ＣＳＩ干渉測定（ＩＭＲ）ペアをモニタするように構成され得、各ペアは、サービング／干渉仮定（serving/interfering assumption）を表し得、ＵＥは各ペアに１つのＣＱＩを計算し得る。しかしながら、非周期的なＣＳＩ ＲＳスキームは、ＣｏＭＰを使用して基地局１０５にわたってＣＳＩ ＲＳの協調的な送信を可能にし得る。かくして、ＣｏＭＰを使用する（基地局１０５−ａを含む）基地局１０５は、ＵＥ１１５に対して透過的であるプロセスでＣＳＩ ＲＳを送信するためにＯＮ／ＯＦＦパターンを選択し得、複数のＣＳＩ ＲＳプロセスでＵＥ１１５−ａを構成する必要性が避けられ得る。例として、基地局１０５−ａは、他の基地局１０５と組み合わせて（図２には示されていないが、図１の１つまたは複数の基地局１０５を含み得る）、サービスするためのＵＥとしてＵＥ１１５−ａを識別し得、基地局１０５は、ＣｏＭＰ ＣＳＩ ＲＳパターンを設計し得、スケジューリング決定をするためにそのＣＳＩ ＲＳパターンにしたがってＵＥ１１５−ａＣＱＩを収集し得る。スケジューリング決定をするために複数のＣＱＩフィードバックからの複数のＣｏＭＰシナリオ間で選択することにより生じる、基地局１０５−ａが受けるスケジューリング能力の潜在的な損失が、複数のＣＳＩ ＲＳを送り、全てのＣＱＩを収集し、そしてスケジューリング決定をすることによって、軽減され得る。
【００６６】
[0076]  他の例では、および、上述のように、周期的なＣＳＩ ＲＳスキームが用いられ得る。このような場合では、固定のＣＳＩ ＲＳ位置が特定のサブフレーム内のオフセットおよび期間によって規定され得る。ＣＳＩ ＲＳの位置は、基地局１０５−ａによってＵＥ１１５−ａにシグナリングされ得、しかし周期的なＣＳＩ ＲＳスキームは、非周期的なスキームと同様に、典型的に、ＣＳＩ ＲＳの存在を示すための即時のシグナリングを必要とせず、かくして、いくつかの場合において、システムのオーバーヘッドのいくらかの削減を提供し得る。周期ＣＳＩ ＲＳスキームはまた、ワイヤレス通信システム２００内の複数のＣＳＩ ＲＳプロセス構成をサポートし得る。
【００６７】
[0077]  しかしながら、いくつかの場合では、ダウンリンク・チャネル２２０のコンテンション・ベースの性質により、ダウンリンク・チャネル２２０は、基地局１０５−ａがＣＳＩ ＲＳを送信しようとするときに、他のデバイスからの送信または他のデバイスによって使用され得る。すなわち、ダウンリンク・チャネル２２０の他の使用により、基地局１０５−ａは、期間によってはＣＳＩ ＲＳサブフレームを送信することが不可能であり得る。このような場合では、ＵＥ１１５−ａは、ダウンリンク・チャネル２２０がクリアでないこと、かくして例えばＵＥ１１５−ａが基地局１０５−ａからプリアンブルを検出しない場合にＣＳＩ ＲＳサブフレームが存在しないことを、認識し得る。代替として、いくつかの場合では、基地局１０５−ａは、潜在的なスケジューリングの制限に関わらず、競合するチャネル使用に関係なく所定の期間にしたがってＣＳＩ ＲＳサブフレームを送信し得る。かくして、このような場合では、ＵＥ１１５−ａが別の方法でダウンリンク・チャネル２２０をモニタしてない場合であっても、期間によっては、ＵＥ１１５−ａはＣＳＩ ＲＳをモニタし得、ＵＥ１１５−ａは、このような場合、ＣＳＩ ＲＳを適切に受信するために特定のレートマッチ技術を用い得る。周期的なＣＳＩ ＲＳスキームのもとで、ＣＳＩ ＲＳ送信時間（例えば、ＣＳＩ ＲＳ期間）は、フレーム時間よりむしろシステム時間にしたがって規定され得る。すなわち、ＣＳＩ ＲＳは、後続のフレームの異なるサブフレーム番号において送信され得る。したがって、ＣＳＩ ＲＳを有するサブフレームは、フレーム内のさまざまな時間で生じ得、それは、ＵＥ１１５−ａの処理タイムラインへの、引き起こされるであろう影響を有し得る。例えば、ＣＳＩ ＲＳサブフレームがフレームの終わりに、または終わり間近に生じる場合、それに応じてＵＥ１１５−ａがそれのＣＱＩ計算を調整し得る。
【００６８】
[0078]  上述のように、準周期的なＣＳＩ ＲＳ設計は、周期的なＣＳＩ ＲＳに関連するいくつかの問題を軽減し得る。このようなスキームでは、周期的なＣＳＩ ＲＳと同様に、ＣＳＩ ＲＳ送信が、アンカー・サブフレームと呼ばれ得る特定のサブフレームに関連付けされ得る。しかしながら、ＣＳＩ ＲＳ送信は、アンカー・サブフレームとは異なるサブフレームで生じ得、例えば、ＣＳＩ ＲＳを有するサブフレームは、フレームにおける固定の相対位置にあり得、固定の相対位置は、ＵＥ１１５−ａに既知であることができる。このスキームは、フレームの終わりに、または終わり間近にＣＳＩ ＲＳサブフレームが送信されるシナリオを回避し得、かくして、いくつかの場合、ＵＥ１１５−ａがＣＳＩ ＲＳベースのＣＱＩを計算するための追加の処理時間を与え得る。準周期的なスキームのさらなる詳細は、図５を参照して以下に説明される。
【００６９】
[0079]  他の場合では、ＣＳＩ ＲＳは、Ｄ−ＣＥＴベースであり得る。上述のように、Ｄ−ＣＥＴは、周期的なＤＬ送信であり得、これにＣＳＩ ＲＳが加えられることができる。このようなＣＳＩ ＲＳスキームは、ＣＳＩ ＲＳ送信のある程度の確実性を提供し、より低いシステムのオーバーヘッドを要求し得るが、いくつかの場合では、Ｄ−ＣＥＴ送信が低頻度であるために、ＣＳＩ ＲＳ送信の頻度は比較的低くなり得る。
【００７０】
[0080]  図３は、本開示のさまざまな態様にしたがってコンテンション・ベース・スペクトルにおけるＣＳＩ ＲＳのためのＴＴＩセット３００の例を例示する。ＴＴＩセット３００は、ＵＥ１１５および基地局１０５によって使用されるさまざまなフレームまたはＴＴＩ構成を含み得、それらは、図１および２を参照して説明されたＵＥ１１５および基地局１０５の例であり得る。ＴＴＩセット３００は、例としてのＴＴＩ構造３０５および３１０を含む。ＴＴＩ構造３０５および３１０の両方は、コンテンション・ベース（例えば、アンライセンス）スペクトル上での送信の例であり得る。ＴＴＩ構造３０５または３１０、あるいはそれら両方は、ｅＣＣ送信を例示し得る。
【００７１】
[0081]  ＴＴＩ構造３０５は、ＬＴＥ ＯＦＤＭシンボルから成るサブフレームを含む無線フレームの一部分を例示し得る。ＴＴＩ構造３０５は、例えば、複数のＴＴＩ３１５を含み得、それらは、ＯＦＤＭシンボル３２０（例えば、拡張されたＣＰの使用に関してサブフレームごとに１２個のシンボル）から成るサブフレームであり得る。ＴＴＩ３１５−ａは、ＰＤＣＣＨ３２５を搬送する２個のＯＦＤＭシンボルと、１０個の追加のＯＦＤＭシンボル３２０とを含み得、それらは、例えば、ＰＤＳＣＨを搬送し得る。ＴＴＩ３１５−ｂは、同様に、２個のシンボルにＰＤＣＣＨ３２５を含み得、ＣＳＩ ＲＳ３３０を有する２個のシンボルを同様に含み得る。ＴＴＩ３１５−ｂは、いくつかの場合、ＣＳＩ ＲＳサブフレームと呼ばれ得る。ＴＴＩ３１５−ｂにおけるＣＳＩ ＲＳ３３０は、本書に説明されるように、周期的、非周期的、準周期的、または同様の、送信を表し得る。いくつかの場合では、ＣＳＩ ＲＳ３３０の存在が、ＴＴＩ構造３０５において他の場所でシグナリング（物理チャネル・シグナリングを含む）することによって示され得る。例えば、ＰＤＣＣＨ３２５を搬送するシンボル内の特定のリソース・エレメントは、ＰＣＦＩＣＨまたはＣ−ＰＤＣＣＨを含み得、それは、ＴＴＩ３１５−ｂ内でのＣＳＩ ＲＳ３００の存在を示し得る。
【００７２】
[0082]  ＴＴＩ構造３１０は、例えば動的ＴＴＩの一部分を例示し得る。または、例えば、ＴＴＩ構造３１０は、基地局１０５がコンテンション・ベース・チャネルを使用していることを示すために、または、制御情報を搬送するために使用される短いＴＴＩを例示し得る。ＴＴＩ構造３１０は、プリアンブル３２４を搬送する２個のシンボル、ＰＤＣＣＨ３２５を搬送する２個のシンボル、およびＣＳＩ ＲＳ３３０を搬送する２個のシンボルを含み得る。ＴＴＩ構造３１０におけるＣＳＩ ＲＳ３３０は、本書に説明されるように、周期的、非周期的、準周期的、または同様の、送信を表し得る。いくつかの例では、ＴＴＩ構造３１０におけるＣＳＩ ＲＳ３３０は、ＰＦＦＩＣＨによって示され、それは、ＰＤＣＣＨ３２５を搬送するシンボル内の特定のＲＥに含まれ得る。代替として、ＴＴＩ構造３１０は、周期的な送信を例示し得、ＣＳＩ ＲＳ３３０は、ＴＴＩ構造３１０が送信される各インスタンスに含まれ得る。
【００７３】
[0083]  図３の例にしたがえば、ＣＳＩ ＲＳ３３０は、ＤＬバーストの最後のＴＴＩ（例えば、ＴＴＩ３１５−ｂ）の間に、または、短いＴＴＩ（例えばＴＴＩ構造３１０）の間に、送信され得る。ＤＬバーストの間に、およびバーストによって、ＣＳＩ ＲＳ対応（capable）ＵＥ１１５は、ＣＱＩを報告するようにトリガされ得、そのポイントにおいて、ＵＥ１１５は、ＣＳＩ ＲＳ３３０がバーストに存在するかどうかを決定し、その結果に応じてそれを使用し得る。ＴＴＩ構造３０５および３１０は、複数の後続のＴＴＩ３１５を含むＤＬバーストを例示し得る。基地局１０５は、ＤＬバーストにおいてＣＳＩ ＲＳ３３０を含めることによって、ＵＥ１１５がＣＳＩ ＲＳ３３０に基づいてＣＱＩを報告するかどうかを、推測的に（a priori）認識し得る。バーストの最後のＴＴＩが最も近来に更新され得るので、最後のＴＴＩにＣＳＩ ＲＳ３３０を含めることが、ＣＳＩ ＲＳからの情報の正確性を向上させ得る。短いＴＴＩの場合、ＣＳＩ ＲＳ３３０の送信は、受信機処理のタイムライン・バッファとしてＰＤＳＣＨセグメントに取って代わり得る。示されていないが、ＣＳＩ ＲＳ３３０は、ＴＴＩ（例えば、サブフレーム）またはＴＴＩ構造（例えば、フレーム）内の任意の数の位置で送信され得る。例えば、ＣＳＩ ＲＳは、ＤＬバーストの早期のＴＴＩ（例えば、ＴＴＩ３１５−ａ）の間に送信され得る。このことは、ＵＥ１１５によるＣＱＩ計算のためにより多くの時間を与え得る。
【００７４】
[0084]  図４は、本開示のさまざまな態様にしたがってコンテンション・ベース・スペクトルにおけるＣＳＩ ＲＳのためのＣＳＩ ＲＳリソース・ブロック（ＲＢ）フォーマット４００の例を例示する。ＣＳＩ ＲＳ ＲＢフォーマット４００は、図１および２を参照して説明されるように、ＣＳＩ ＲＳベースの測定のためにＵＥ１１５および基地局１０５によって使用され得る。ＲＢ４０５−ａは、９００ＫＨｚの帯域幅を有し得、１２のトーン・ペア４１５−aを含む、図３のＣＳＩ ＲＳ３３０の例であり得る２個のシンボルを表し得る。ＲＢ４０５−ｂは、同様に、９００ＫＨｚの帯域幅を有し得、１２のトーン・ペア４１５−ｂを含む、図３のＣＳＩ ＲＳ３３０を有するシンボルの例であり得る２個のシンボルを表し得る。ＲＢ４０５−ａは、８個のアンテナ・ポートに対してＣＳＩ ＲＳ４１０−ａ、４１０−ｂ、および４１０−ｃの３個のサンプルを、すなわち、３００ＫＨｚごとに１個のサンプルを、含み得る。ＲＢ４０５−ｂは、ＣＳＩ ＲＳ４１０−ｄおよび４１０−ｅの２個のサンプルで、すなわち、４５０ＫＨｚごとに１個のサンプルで、構成され得、それは、（例えば干渉測定ギャップのような）ＩＭＲ４１５−ａおよび４１５−ｂのために利用可能な追加のＲＥを提供し得る。かくして、ＣＳＩ ＲＳ密度は、ＩＭＲを収容するように決定され得、したがって干渉測定ギャップに基づき得る。
【００７５】
[0085]  図５は、本開示のさまざまな態様にしたがってコンテンション・ベース・スペクトルにおけるＣＳＩ ＲＳを含むフレーム５００（例えば、無線フレーム）の例を例示する。フレーム５００は、プリアンブル５０２、ＣＳＩ ＲＳサブフレーム５０５、およびアンカー・サブフレーム５１０、並びにいくつかの他のサブフレーム５２０を含み得る。フレーム５００は、ＵＥ１１５および基地局１０５によって使用され得、それらは、図１および２を参照して説明されたＵＥ１１５および基地局１０５の例であり得る。フレーム５００はまた、図３のＴＴＩ構造（例えば、ＴＴＩ構造３０５）の例であり得る。
【００７６】
[0086]  準周期的なＣＳＩ ＲＳスキームは、例えば、フレーム５００を使用して用いられ得る。システムは、基地局１０５がＵＥ１１５に既知の期間にしたがってＣＳＩ ＲＳを送信するように構成され得る。ＣＳＩ ＲＳの期間は、アンカー・サブフレーム５１０と並べられ得、それは、所定のフレームに存在する場合も存在しない場合もある。ＵＥ１１５は、アンカー・サブフレーム５１０がフレーム５００に存在するかどうかを決定し得る。そしてＵＥ１１５は、オフセット５１５およびアンカー・サブフレーム５１０の存在に基づいてアンカー・サブフレーム５１０からのサブフレーム（例えば、ＣＳＩ ＲＳサブフレーム５０５）の正確な位置を決定し得る。いくつかの場合では、オフセット５１５は、フレーム５００内のＣＳＩ ＲＳサブフレーム５０５の相対位置を表す。例として、ＣＳＩ ＲＳサブフレーム５０５は、アンカー・サブフレーム５１０を含むことが決定された各フレーム５００のサブフレーム番号２であり得る。ＣＳＩ ＲＳサブフレーム５０５の位置は、ＵＥ１１５に通信される、または既知であり得る。いくつかの場合では、プリアンブル５０２におけるシグナリングは、フレーム５００がアンカー・サブフレーム５１０を含むことを決定するために使用され得る。ＣＳＩ ＲＳ周期性およびオフセット５１５は、無線リソース制御（ＲＲＣ）シグナリング、システム情報ブロードキャスト、または同様のもの、において通信され得るか、ＵＥ１１５によって推測的に認識され得る。
【００７７】
[0087]  図６は、本開示のさまざまな態様にしたがってコンテンション・ベース・スペクトルにおけるＣＳＩ ＲＳのためのプロセス・フロー６００の例を例示する。プロセス・フロー６００は、ＵＥ１１５−ｂおよび基地局１０５−ｂを含み得、それらは、図１および２を参照して説明されたＵＥ１１５および基地局１０５の例であり得る。例えば、プロセス・フロー６００は、コンテンション・ベース・スペクトルにおいて非周期的ＣＳＩ ＲＳを使用する通信の１つまたは複数の方法を表し得る。
【００７８】
[0088]  ６０５において、基地局１０５−ｂは、ＵＥ１１５−ｂにＣＲＳを送信し得る。いくつかの例では、ＣＲＳを受信することは、ＣＲＳを含むプリアンブルを受信することを含む。６１０において、ＵＥ１１５ーｂは、ＣＲＳに基づいてＣＱＩを計算し得る。すなわち、ＣＱＩは、（例えば、通信レイヤの数がしきい値を下回る場合、または、ＣＳＩ ＲＳが存在しない場合、）ＣＳＩ ＲＳなしで計算され得る。６１５において、ＵＥ１１５−ｂは、基地局１０５−ｂにＣＱＩ報告を送信し得る。
【００７９】
[0089]  さらに、または代替として、６２０において、ＵＥ１１５ーｂは、ＵＥ１１５−ｂにＣＳＩ ＲＳインジケーションを送信し得る。すなわち、ＣＳＩ ＲＳを送信する前に、基地局１０５は、ＵＥ１１５−ｂにＣＳＩ ＲＳの存在のインジケーションを送信し得る。いくつかの例では、ＣＳＩ ＲＳの存在を示すシグナリングは、ＰＣＦＩＣＨの一部分を含む。いくつかの例では、ＣＳＩ ＲＳの存在を示すシグナリングは、ＰＦＦＩＣＨの一部分を含む。
【００８０】
[0090]  ６２２において、ＵＥ１１５−ｂは、ＵＥ１１５−ｂにＣＲＳを送信し得る。６２５において、基地局１０５−ｂは、ＵＥ１１５−ｂにＣＳＩ ＲＳを送信し得る。かくして、ＵＥ１１５−ｂは、ＣＳＩ ＲＳの存在を示す受信されたシグナリングにしたがってＣＳＩ ＲＳを受信し得る。いくつかの場合では、ＵＥ１１５−ｂは、ＣＳＩ ＲＳがＰＤＣＣＨの後に受信され得るように、ＰＤＣＣＨを受信し得る。いくつかの例では、ＣＳＩ ＲＳの存在を示すシグナリングは、物理チャネルである。
【００８１】
[0091]  いくつかの例では、ＣＳＩ ＲＳは、複数のシンボル期間を含む。ＣＳＩ ＲＳの密度は、例えば、上述のように、干渉測定ギャップに基づき得る。いくつかの例では、ＣＳＩ ＲＳを受信することは、ＤＬバーストの最後のＴＴＩにおいてＣＳＩ ＲＳを受信することを含む。いくつかの例では、ＣＳＩ ＲＳを受信することは、ＣＱＩが第１のＣＳＩ ＲＳに基づいて計算された第１のＣＱＩおよび第２のＣＳＩ ＲＳに基づいて計算された第２のＣＱＩを含み得るように、シグナリングにしたがって第１のＣＳＩ ＲＳおよび第２のＣＳＩ ＲＳを含むＤＬ ＴＴＩバーストを受信することを含む。
【００８２】
[0092]  ６３０において、ＵＥ１１５−ｂは、（例えば、通信レイヤの数がしきい値を上回る場合、）ＣＲＳおよびＣＳＩ ＲＳに基づいてＣＱＩを計算し得る。６３５において、ＵＥ１１５−ｂは、基地局１０５−ｂにＣＱＩ報告を送信し得る。
【００８３】
[0093]  図７は、本開示のさまざまな態様にしたがってコンテンション・ベース・スペクトルにおけるＣＳＩ ＲＳのためのプロセス・フロー７００の例を例示する。プロセス・フロー７００は、ＵＥ１１５−ｃおよび基地局１０５−ｃを含み得、それらは、図１および２を参照して説明されたＵＥ１１５および基地局１０５の例であり得る。プロセス・フロー７００は、例えば、コンテンション・ベース・スペクトルにおいて準周期的ＣＳＩ ＲＳを使用する通信の１つまたは複数の方法を表し得る。
【００８４】
[0094]  ７０５において、ＵＥ１１５−ｃは、アンカー・サブフレームを識別し得る。すなわち、ＵＥ１１５−ｃは、ＣＳＩ ＲＳの存在を示す第１のサブフレームを識別し得、それは、いくつかの場合、アンカー・サブフレームと呼ばれ得る。
【００８５】
[0095]  ７１０において、ＵＥ１１５−ｃは、アンカー・サブフレームからのオフセットに基づいてＣＳＩ ＲＳサブフレームを識別し得る。かくしてＵＥ１１５−ｃは、識別された第１のサブフレームおよびオフセットに基づいて、第２のサブフレームがＣＳＩ ＲＳを含むことを決定し得る。いくつかの場合では、ＵＥ１１５−ｃはまた、フレーム情報を決定し得る。いくつかの場合では、フレーム情報を決定することは、プリアンブルまたはＰＦＦＩＣＨ、あるいはそれら両方に基づき、第１のサブフレームを識別することは、フレームが第１のサブフレームを含むことを決定することを含み得、それは、第１のサブフレームの周期性およびフレーム情報に基づき得る。第１のサブフレームおよび第２のサブフレームの間（例えば、アンカー・サブフレームおよびＣＳＩ ＲＳサブフレームの間）のオフセットは、上述のように、基地局１０５−ｃおよびＵＥ１１５−ｃの間のシグナリングで示され得る。いくつかの例では、オフセットは、フレーム内の第２のサブフレームの相対位置を含む。
【００８６】
[0096]  ７１５において、ＵＥ１１５−ｃは、ＣＳＩ ＲＳサブフレームの間に基地局１０５−ｃからＣＳＩ ＲＳを受信し得る。例えば、ＵＥ１１５−ｃは、第２のサブフレームの間にＣＳＩ ＲＳを受信し得る。いくつかの例では、基地局１０５−ｃは、ＣＳＩ ＲＳの存在を示すシグナリングを送信し得、そのシグナリングにしたがってＣＳＩ ＲＳを送信し得る。
【００８７】
[0097]  ７２０において、ＵＥ１１５−ｃは、ＣＳＩ ＲＳに基づいてＣＱＩを計算し得る。７２５において、ＵＥ１１５−ｃは、基地局１０５−ｃにＣＱＩを報告し得、基地局１０５−ｃは、ＣＳＩ ＲＳに基づいて計算されたＣＱＩを含む報告を受信し得る。
【００８８】
[0098]  図８は、本開示のさまざまな態様にしたがってコンテンション・ベース・スペクトルにおいてＣＳＩ ＲＳをサポートするワイヤレス・デバイス８００の図を示す。ワイヤレス・デバイス８００は、図１乃至７を参照して説明されたＵＥ１１５の態様の例であり得る。ワイヤレス・デバイス８００は、受信機８０５、ＣＳＩ ＲＳモジュール８１０、または送信機８１５を含み得る。ワイヤレス・デバイス８００はまた、プロセッサを含み得る。これらのコンポーネントの各々は、互いに通信状態にあり得る。
【００８９】
[0099]  受信機８０５は、さまざまな情報チャネル（例えば、制御チャネル、データ・チャネルおよびアンライセンス・スペクトルにおけるＣＳＩ ＲＳに関連した情報など）に関連付けられた、パケット、ユーザ・データ、または制御情報のような情報を受信し得る。情報は、ＣＳＩ ＲＳモジュール８１０に、およびワイヤレス・デバイス８００の他のコンポーネントに伝えられ得る。いくつかの例では、受信機８０５は、受信されたシグナリングにしたがってＣＳＩ ＲＳを受信し得る。いくつかの例では、ＣＳＩ ＲＳを受信することは、ＤＬバーストの最後のＴＴＩにおいてＣＳＩ ＲＳを受信することを含む。さらに、または代替として、ＣＳＩ ＲＳを受信することは、ＣＱＩが第１のＣＳＩ ＲＳに基づいて計算された第１のＣＱＩおよび第２のＣＳＩ ＲＳに基づいて計算された第２のＣＱＩを含み得るように、第１のＣＳＩ ＲＳおよび第２のＣＳＩ ＲＳを有するＤＬ ＴＴＩバーストを受信することを含み得る。いくつかの例では、受信機８０５は、第２のサブフレームの間にＣＳＩ ＲＳを受信し得る。
【００９０】
[0100]  ＣＳＩ ＲＳモジュール８１０は、ＣＳＩ ＲＳの存在を示すシグナリングを受信し、受信されたシグナリングにしたがってＣＳＩ ＲＳを受信し、ＣＳＩ ＲＳに基づいてＣＱＩを計算し得る。
【００９１】
[0101]  送信機８１５は、ワイヤレス・デバイス８００の他のコンポーネントから受信された信号を送信し得る。いくつかの例では、送信機８１５は、トランシーバ・モジュールで受信機８０５と共に配置され得る。送信機８１５は、単一のアンテナを含み得るか、またはそれは、複数のアンテナを含み得る。いくつかの例では、送信機８１５は、ＣＱＩがＣＳＩ ＲＳに基づくことのインジケーションを報告が含み得るように、ＣＱＩを含む報告を送信し得る。
【００９２】
[0102]  図９は、本開示のさまざまな態様にしたがってコンテンション・ベース・スペクトルにおいてＣＳＩ ＲＳをサポートするワイヤレス・デバイス９００の図を示す。ワイヤレス・デバイス９００は、図１乃至８を参照して説明されたＵＥ１１５またはワイヤレス・デバイス８００の態様の例であり得る。ワイヤレス・デバイス９００は、受信機８０５−ａ、ＣＳＩ ＲＳモジュール８１０−ａ、または送信機８１５−ａを含み得る。ワイヤレス・デバイス９００はまた、プロセッサを含み得る。これらのコンポーネントの各々は、互いに通信状態にあり得る。ＣＳＩ ＲＳモジュール８１０−ａはまた、ＣＳＩ ＲＳインジケーションモジュール９０５、およびＣＱＩモジュール９１０を含み得る。
【００９３】
[0103]  受信機８０５−ａは、ＣＳＩ ＲＳモジュール８１０−ａに、およびワイヤレス・デバイス９００の他のコンポーネントに伝えられ得る情報を受信し得る。ＣＳＩ ＲＳモジュール８１０−ａは、図８を参照して説明された動作を実施し得る。送信機８１５−ａは、ワイヤレス・デバイス９００の他のコンポーネントから受信された信号を送信し得る。
【００９４】
[0104]  ＣＳＩ ＲＳインジケーションモジュール９０５は、図２乃至７を参照して説明されたように、ＣＳＩ ＲＳの存在を示すシグナリングを受信し得る。いくつかの例では、ＣＳＩ ＲＳの存在を示すシグナリングは、物理チャネルを含む。ＣＳＩ ＲＳの存在を示すシグナリングは、さまざまな例において、ＰＣＦＩＣＨの一部分、またはＰＦＦＩＣＨの一部分を含む。
【００９５】
[0105]  ＣＱＩモジュール９１０は、図２乃至７を参照して説明されたように、ＣＳＩ ＲＳに基づいてＣＱＩを計算し得る。ＣＱＩモジュール９１０はまた、ＣＳＩ ＲＳを送信することに基づいてＣＳＩ ＲＳを使用してＣＱＩが計算されたことを決定し得る。ＣＱＩモジュール９１０はまた、報告がインジケータを含み得るように、ＵＥから受信されたインジケータに基づいてＣＳＩ ＲＳを使用してＣＱＩが計算されたことを決定し得る。
【００９６】
[0106]  図１０は、本開示のさまざまな態様にしたがってコンテンション・ベース・スペクトルにおけるＣＳＩ ＲＳをサポートするワイヤレス・デバイス９００またはワイヤレス・デバイス８００のコンポーネントであり得るＣＳＩ ＲＳモジュール８１０−ｂの図１０００を示す。ＣＳＩ ＲＳモジュール８１０−ｂは、図８および９を参照して説明されたＣＳＩ ＲＳモジュール８１０の態様の例であり得る。ＣＳＩ ＲＳモジュール８１０−ｂは、ＣＳＩ ＲＳインジケーションモジュール９０５−ａ、およびＣＱＩモジュール９１０−ａを含み得る。これらのモジュールの各々は、図９を参照して説明された機能を実施し得る。ＣＳＩ ＲＳモジュール８１０−ｂはまた、ＣＲＳモジュール１００５、ＰＤＣＣＨモジュール１０１０、ＣＳＩ ＲＳモジュール１０１５、およびＣＳＩ ＲＳサブフレーム識別モジュール１０２０を含み得る。
【００９７】
[0107]  ＣＲＳモジュール１００５は、ＣＲＳを受信し得、ＣＱＩは、図２乃至７を参照して説明されたように、ＣＲＳに基づき得る。いくつかの例では、ＣＲＳを受信することは、ＣＲＳを含むプリアンブルを受信することを含む。ＰＤＣＣＨモジュール１０１０は、ＰＤＣＣＨを受信し得、ＣＳＩ ＲＳは、図２乃至７を参照して説明されたように、ＰＤＣＣＨの後に受信され得る。
【００９８】
[0108]  ＣＳＩ ＲＳモジュール１０１５は、図２乃至７を参照して説明されたように、ＣＳＩ ＲＳが複数のシンボル期間を含み得るように構成され得る。いくつかの例では、ＣＳＩ ＲＳの密度は、干渉測定ギャップに基づき得る。
【００９９】
[0109]  ＣＳＩ ＲＳサブフレーム識別モジュール１０２０は、図２乃至７を参照して説明されたように、ＣＳＩ ＲＳの存在を示す第１のサブフレーム（例えば、アンカー・サブフレーム）を識別し得る。ＣＳＩ ＲＳサブフレーム識別モジュール１０２０はまた、識別された第１のサブフレームおよびオフセットに基づいて、第２のサブフレーム（例えばＣＳＩ ＲＳサブフレーム）がＣＳＩ ＲＳを含むことを決定し得る。いくつかの例では、第１のサブフレームを識別することが、第１のサブフレームの周期性およびフレーム情報に基づいてフレームが第１のサブフレームを含むことを決定することを含み得るように、フレーム情報を決定することは、プリアンブルまたはＰＦＦＩＣＨ、あるいはそれら両方に基づく。ＣＳＩ ＲＳサブフレーム識別モジュール１０２０はまた、オフセットを示すシグナリングを受信し得る。いくつかの例では、オフセットは、フレームにおける第２のサブフレームの相対位置であり得る。ＣＳＩ ＲＳサブフレーム識別モジュール１０２０はまた、識別された第１のサブフレームおよびオフセットに基づいて、第２のサブフレームがＣＳＩ ＲＳを含むことを決定し得る。
【０１００】
[0110]  図１１は、本開示のさまざまな態様にしたがってコンテンション・ベース・スペクトルにおいてＣＳＩ ＲＳをサポートする、ＵＥ１１５を含む、システム１１００の図を示す。システム１１００は、ＵＥ１１５−ｄを含み得、それは、図１、２および８乃至１０を参照して説明されたワイヤレス・デバイス８００、ワイヤレス・デバイス９００、またはＵＥ１１５の例であり得る。ＵＥ１１５−ｄは、ＣＳＩ ＲＳモジュール１１１０を含み得、それは、図８乃至１０を参照して説明されたＣＳＩ ＲＳモジュール８１０の例であり得る。ＵＥ１１５−ｄはまた、ＥＣＣモジュール１１２５を含み得る。ＥＣＣモジュール１１２５は、図１を参照して説明されたように、ＵＥ１１５−ｄがＥＣＣプロシージャにしたがって動作することを可能にし得る。ＵＥ１１５−ｄはまた、通信を送信するためのコンポーネントおよび通信を受信するためのコンポーネントを含む、双方向音声およびデータ通信のためのコンポーネントを含み得る。例えば、ＵＥ１１５−ｄは、基地局１０５−ｄと双方向に通信し得る。
【０１０１】
[0111]  ＵＥ１１５−ｄはまた、プロセッサ１１０５、およびメモリ１１１５（ソフトウェア（ＳＷ）１１２０を含む）、トランシーバ１１３５、および１つまたは複数のアンテナ１１４０を含み得、これらの各々は、（例えば、バス１１４５を介して）互いに間接的にまたは直接通信し得る。上述されたように、トランシーバ１１３５は、（１つまたは複数の）アンテナ１１４０、または有線あるいは無線のリンクを介して、１つまたは複数のネットワークと双方向に通信し得る。例えば、トランシーバ１１３５は、基地局１０５または別のＵＥ１１５と双方向に通信し得る。トランシーバ１１３５は、パケットを変調し、変調されたパケットを送信のために（１つまたは複数の）アンテナ１１４０に提供し、そして（１つまたは複数の）アンテナ１１４０から受信されたパケットを復調するためのモデムを含み得る。ＵＥ１１５−ｄは、単一のアンテナ１１４０を含み得るが、ＵＥ１１５−ｄはまた、複数のワイヤレス送信を同時に送信または受信することが可能である複数のアンテナ１１４０を有し得る。
【０１０２】
[0112]  メモリ１１１５は、ランダム・アクセス・メモリ（ＲＡＭ）および読取専用メモリ（ＲＯＭ）を含み得る。メモリ１１１５は、実行されるとき、プロセッサ１１０５に、本書に説明されたさまざまな機能（例えば、アンライセンス・スペクトルにおけるＣＳＩ ＲＳなど）を実施させる命令を含む、コンピュータ可読、コンピュータ実行可能ソフトウェア／ファームウェア・コード１１２０を記憶し得る。代替として、ソフトウェア／ファームウェア・コード１１２０は、プロセッサ１１０５によって直接的に実行可能ではない場合もあるが、（例えば、コンパイルおよび実行されるとき、）コンピュータに、本書に説明されている機能を実施させ得る。プロセッサ１１０５は、インテリジェント・ハードウェア・デバイス（例えば、中央処理ユニット（ＣＰＵ）、マイクロコントローラ、特定用途向け集積回路（ＡＳＩＣ）など）を含み得る。
【０１０３】
[0113]  図１２は、本開示のさまざまな態様にしたがってコンテンション・ベース・スペクトルにおいてＣＳＩ ＲＳをサポートするワイヤレス・デバイス１２００の図を示す。ワイヤレス・デバイス１２００は、図１乃至１１を参照して説明された基地局１０５の態様の例であり得る。ワイヤレス・デバイス１２００は、受信機１２０５、基地局ＣＳＩ ＲＳモジュール１２１０、または送信機１２１５を含み得る。ワイヤレス・デバイス１２００はまた、プロセッサを含み得る。これらのコンポーネントの各々は、互いに通信状態にあり得る。
【０１０４】
[0114]  受信機１２０５は、さまざまな情報チャネル（例えば、制御チャネル、データ・チャネルおよびアンライセンス・スペクトルにおけるＣＳＩ ＲＳに関連した情報など）に関連付けられた、パケット、ユーザ・データ、または制御情報のような情報を受信し得る。情報は、基地局ＣＳＩ ＲＳモジュール１２１０に、およびワイヤレス・デバイス１２００の他のコンポーネントに伝えられ得る。
【０１０５】
[0115]  基地局ＣＳＩ ＲＳモジュール１２１０は、ＣＳＩ ＲＳの存在を示すシグナリングを送信し、シグナリングにしたがってＣＳＩ ＲＳを送信し、ＣＳＩ ＲＳに基づいて計算されたＣＱＩを含む報告を受信し得る。
【０１０６】
[0116]  送信機１２１５は、ワイヤレス・デバイス１２００の他のコンポーネントから受信された信号を送信し得る。いくつかの例では、送信機１２１５は、トランシーバ・モジュールで受信機１２０５と共に配置され得る。送信機１２１５は、単一のアンテナを含み得るか、またはそれは、複数のアンテナを含み得る。いくつかの例では、送信機１２１５は、シグナリングにしたがってＣＳＩ ＲＳを送信し得る。いくつかの例では、送信機１２１５は、第２のサブフレームの間にＣＳＩ ＲＳを送信し得る。
【０１０７】
[0117]  図１３は、本開示のさまざまな態様にしたがってコンテンション・ベース・スペクトルにおいてＣＳＩ ＲＳをサポートするワイヤレス・デバイス１３００の図を示す。ワイヤレス・デバイス１３００は、図１乃至１２を参照して説明された基地局１０５またはワイヤレス・デバイス１２００の態様の例であり得る。ワイヤレス・デバイス１３００は、受信機１２０５−ａ、基地局ＣＳＩ ＲＳモジュール１２１０−ａ、または送信機１２１５−ａを含み得る。ワイヤレス・デバイス１３００はまた、プロセッサを含み得る。これらのコンポーネントの各々は、互いに通信状態にあり得る。基地局ＣＳＩ ＲＳモジュール１２１０−ａはまた、基地局ＣＳＩ ＲＳインジケーションモジュール１３０５、基地局ＣＱＩモジュール１３１０、および基地局ＣＳＩ ＲＳサブフレーム識別モジュール１３１５を含み得る。
【０１０８】
[0118]  受信機１２０５−ａは、基地局ＣＳＩ ＲＳモジュール１２１０−ａに、およびワイヤレス・デバイス１３００の他のコンポーネントに伝えられ得る情報を受信し得る。基地局ＣＳＩ ＲＳモジュール１２１０−ａは、図１２を参照して説明された動作を実施し得る。送信機１２１５−ａは、ワイヤレス・デバイス１３００の他のコンポーネントから受信された信号を送信し得る。
【０１０９】
[0119]  基地局ＣＳＩ ＲＳインジケーションモジュール１３０５は、図２乃至７を参照して説明されたように、ＣＳＩ ＲＳの存在を示すシグナリングを送信し得る。基地局ＣＱＩモジュール１３１０は、図２乃至７を参照して説明されたように、ＣＳＩ ＲＳに基づいて計算されたＣＱＩを含む報告を受信し得る。基地局ＣＳＩ ＲＳサブフレーム識別モジュール１３１５は、図２乃至７を参照して説明されたように、チャネルＣＳＩ ＲＳの存在を示す第１のサブフレームを識別し得る。
【０１１０】
[0120]  図１４は、本開示のさまざまな態様にしたがってコンテンション・ベース・スペクトルにおけるＣＳＩ ＲＳをサポートするワイヤレス・デバイス１３００またはワイヤレス・デバイス１２００のコンポーネントであり得る基地局ＣＳＩ ＲＳモジュール１２１０−ｂの図１４００を示す。基地局ＣＳＩ ＲＳモジュール１２１０−ｂは、図１２および１３を参照して説明された基地局ＣＳＩ ＲＳモジュール１２１０の態様の例であり得る。基地局ＣＳＩ ＲＳモジュール１２１０−ｂは、基地局ＣＳＩ ＲＳインジケーションモジュール１３０５−ａ、基地局ＣＱＩモジュール１３１０−ａおよび基地局ＣＳＩ ＲＳサブフレーム識別モジュール１３１５−ａを含み得る。これらのモジュールの各々は、図１３を参照して説明された機能を実施し得る。基地局ＣＳＩ ＲＳモジュール１２１０−ｂはまた、ＵＥ識別モジュール１４０５、送信パターン・モジュール１４１０、ＣＯＭＰ送信モジュール１４１５、およびオフセットインジケーションモジュール１４２０を含み得る。
【０１１１】
[0121]  ＵＥ識別モジュール１４０５は、ＣＳＩ ＲＳベースのＣＱＩ報告のために構成されたＵＥを識別し得、シグナリングは、図２乃至７を参照して説明されたように、ＵＥを識別することに基づいて送信され得る。送信パターン・モジュール１４１０は、図２乃至７を参照して説明されたように、ＣｏＭＰスキームにおいてＵＥをサービスするための送信パターンを決定し得る。ＣＯＭＰ送信モジュール１４１５は、図２乃至７を参照して説明されたように、送信パターンに基づいてシグナリングおよびＣＳＩ ＲＳを送信し得る。オフセットインジケーションモジュール１４２０は、図２乃至７を参照して説明されたように、オフセットを示すシグナリングを送信し得る。いくつかの例では、オフセットは、フレームにおける、例えばＣＳＩ ＲＳサブフレームの、相対位置を含む。
【０１１２】
[0122]  図１５は、本開示のさまざまな態様にしたがってコンテンション・ベース・スペクトルにおいてＣＳＩ ＲＳをサポートする、基地局１０５を含む、システム１５００の図を示す。システム１５００は、基地局１０５−ｅを含み得、それは、図１、２および１２乃至１４を参照して説明されたワイヤレス・デバイス１２００、ワイヤレス・デバイス１３００または基地局１０５の例であり得る。基地局１０５−ｅは、基地局ＣＳＩ ＲＳモジュール１５１０を含み得、それは、図１２乃至１４を参照して説明された基地局ＣＳＩ ＲＳモジュール１２１０の例であり得る。基地局１０５−ｅはまた、通信を送信するためのコンポーネントおよび通信を受信するためのコンポーネントを含む、双方向音声およびデータ通信のためのコンポーネントを含み得る。例えば、基地局１０５−ｅは、ＵＥ１１５−ｅまたはＵＥ１１５−ｆと双方向に通信し得る。
【０１１３】
[0123]  いくつかの場合では、基地局１０５−ｅは、１つまたは複数の有線バックホール・リンクを有し得る。基地局１０５−ｅは、コア・ネットワーク１３０への有線バックホール・リンク（例えば、Ｓ１インターフェースなど）を有し得る。基地局１０５−ｅはまた、基地局間バックホール・リンク（例えば、Ｘ２インターフェース）を介して、基地局１０５−ｆおよび基地局１０５−ｇのような、他の基地局１０５と通信し得る。基地局１０５の各々は、同じ、または異なるワイヤレス通信技術を使用してＵＥ１１５と通信し得る。いくつかの場合では、基地局１０５−ｅは、基地局通信モジュール１５２５を使用して１０５−ｆまたは１０５−ｇのような他の基地局と通信し得る。いくつかの例では、基地局通信モジュール１５２５は、複数の基地局１０５のいくつかの間の通信を提供するために、ロング・ターム・エボリューション（ＬＴＥ）／ＬＴＥ−Ａワイヤレス通信ネットワーク技術内のＸ２インターフェースを提供し得る。いくつかの例では、基地局１０５−ｅは、コア・ネットワーク１３０を通じて他の基地局と通信し得る。いくつかの場合において、基地局１０５−ｅは、ネットワーク通信モジュール１５３０を通してコア・ネットワーク１３０と通信し得る。
【０１１４】
[0124]  基地局１０５−ｅは、プロセッサ１５０５、（ソフトウェア（ＳＷ）１５２０を含む）メモリ１５１５、トランシーバ１５３５、および（１つまたは複数の）アンテナ１５４０を含み得、それらは各々、（例えば、バス・システム１５４５上で）互いに、間接的にまたは直接、通信状態にあり得る。トランシーバ１５３５は、ＵＥ１１５と、（１つまたは複数の）アンテナ１５４０を介して、双方向で通信するように構成され得、それは、マルチ・モード・デバイスであり得る。トランシーバ１５３５（または基地局１０５−ｅの他のコンポーネント）はまた、１つまたは複数の他の基地局（図示せず）と、アンテナ１５４０を介して、双方向で通信するように構成され得る。トランシーバ１５３５は、パケットを変調し、変調されたパケットを送信のためにアンテナ１５４０に提供し、アンテナ１５４０から受信されたパケットを復調するように構成されたモデムを含み得る。基地局１０５−ｅは、各々１つまたは複数の関連付けされたアンテナ１５４０を備えた、複数のトランシーバ１５３５を含み得る。トランシーバは、図１２の組み合わされた受信機１２０５および送信機１２１５の例であり得る。
【０１１５】
[0125]  メモリ１５１５は、ＲＡＭおよびＲＯＭを含み得る。メモリ１５１５はまた、実行されるとき、プロセッサ１５０５に、本書に記載されたさまざまな機能（例えば、アンライセンス・スペクトルにおけるＣＳＩ ＲＳ、カバレージ増進技法を選択すること、呼処理、データベース管理、メッセージ・ルーティングなど）を実施させるように構成された命令を含む、コンピュータ可読、コンピュータ実行可能なソフトウェア・コード１５２０を記憶し得る。代替として、ソフトウェア１５２０は、プロセッサ１５０５によって直接的に実行可能ではない場合があるが、コンピュータに（例えば、コンパイルされ、実行されるときに）、本書で説明された機能を実施させるように構成され得る。プロセッサ１５０５は、インテリジェント・ハードウェア・デバイス（例えば、ＣＰＵ、マイクロコントローラ、ＡＳＩＣなど）を含み得る。プロセッサ１５０５は、エンコーダ、キュー処理モジュール、ベース・バンド・プロセッサ、ラジオ・ヘッド・コントローラ、デジタル・シグナル・プロセッサ（ＤＳＰ）などのような、さまざまな特別用途のプロセッサを含み得る。
【０１１６】
[0126]  基地局通信モジュール１５２５は、他の基地局１０５との通信を管理し得る。いくつかの場合では、通信管理モジュールは、他の基地局１０５と協調してＵＥ１１５との通信を制御するためのコントローラまたはスケジューラを含み得る。例えば、基地局通信モジュール１５２５は、ビームフォーミングまたはジョイント送信のようなさまざまな干渉緩和技術のために、ＵＥ１１５への送信のためのスケジューリングを調整し得る。
【０１１７】
[0127]  ワイヤレス・デバイス８００、ワイヤレス・デバイス９００、およびＣＳＩ ＲＳモジュール８１０、ワイヤレス・デバイス１２００、ワイヤレス・デバイス１３００、基地局ＣＳＩ ＲＳモジュール１２１０、およびシステム１５００のコンポーネントは、個々に、または集合的に、ハードウェアにおける適用可能な機能のいくつかまたはすべてを実施するように適応された少なくとも１つのＡＳＩＣでインプリメントされ得る。代替として、機能は、少なくとも１つのＩＣ上で、１つまたは複数の他の処理ユニット（またはコア）によって実施され得る。他の例において、他のタイプの集積回路（例えば、構造化／プラットフォームＡＳＩＣ、フィールド・プログラマブル・ゲート・アレイ（ＦＰＧＡ）、または別の半カスタムＩＣ）が使用され得、それらは、当該技術分野において既知の任意の方法でプログラムされ得る。各ユニットの機能はまた、１つまたは複数の汎用または特定用途向けのプロセッサによって実行されるようにフォーマット化された、メモリにおいて具現化される命令で、全体的または部分的にインプリメントされ得る。
【０１１８】
[0128]  図１６は、本開示のさまざまな態様にしたがってコンテンション・ベース・スペクトルにおけるＣＳＩ ＲＳのための方法１６００を例示するフローチャートを示す。方法１６００の動作は、図１乃至１５を参照して説明されたように、ＵＥ１１５またはそれのコンポーネントによってインプリメントされ得る。例えば、方法１６００の動作は、図８乃至１１を参照して説明されたように、ＣＳＩ ＲＳモジュール８１０によって実施され得る。いくつかの例では、ＵＥ１１５は、ＵＥ１１５の機能的要素を制御して以下に説明される機能を実施するためにコードのセットを実行し得る。さらに、または代替として、ＵＥ１１５は、専用ハードウェアを使用して以下に説明される機能の態様を実施し得る。
【０１１９】
[0129]  ブロック１６０５において、ＵＥ１１５は、図２乃至７を参照して説明されたように、ＣＳＩ ＲＳの存在を示すシグナリングを受信し得る。特定の例では、ブロック１６０５の動作は、図９を参照して説明されたように、ＣＳＩ ＲＳインジケーションモジュール９０５によって実施され得る。
【０１２０】
[0130]  ブロック１６１０において、ＵＥ１１５は、図２乃至７を参照して説明されたように、受信されたシグナリングにしたがってＣＳＩ ＲＳを受信し得る。特定の例では、ブロック１６１０の動作は、図８を参照して説明されたように受信機８０５によって実施され得る。
【０１２１】
[0131]  ブロック１６１５において、ＵＥ１１５は、図２乃至７を参照して説明されたように、ＣＳＩ ＲＳに少なくとも部分的に基づいてＣＱＩを計算し得る。特定の例では、ブロック１６１５の動作は、図９を参照して説明されたように、ＣＱＩモジュール９１０によって実施され得る。
【０１２２】
[0132]  図１７は、本開示のさまざまな態様にしたがってコンテンション・ベース・スペクトルにおけるＣＳＩ ＲＳのための方法１７００を例示するフローチャートを示す。方法１７００の動作は、図１乃至１５を参照して説明されたように、ＵＥ１１５またはそれのコンポーネントによってインプリメントされ得る。例えば、方法１７００の動作は、図８乃至１１を参照して説明されたように、ＣＳＩ ＲＳモジュール８１０によって実施され得る。いくつかの例では、ＵＥ１１５は、ＵＥ１１５の機能的要素を制御して以下に説明される機能を実施するためにコードのセットを実行し得る。さらに、または代替として、ＵＥ１１５は、専用ハードウェアを使用して以下に説明される機能の態様を実施し得る。方法１７００はまた、図１６の方法１６００の態様を組み込み得る。
【０１２３】
[0133]  ブロック１７０５において、ＵＥ１１５は、図２乃至７を参照して説明されたように、ＣＳＩ ＲＳの存在を示すシグナリングを受信し得る。特定の例では、ブロック１７０５の動作は、図９を参照して説明されたように、ＣＳＩ ＲＳインジケーションモジュール９０５によって実施され得る。
【０１２４】
[0134]  ブロック１７１０において、ＵＥ１１５は、図２乃至７を参照して説明されたように、ＣＱＩがＣＲＳに少なくとも部分的に基づき得るように、ＣＲＳを受信し得る。特定の例では、ブロック１７１０の動作は、図１０を参照して説明されたように、ＣＲＳモジュール１００５によって実施され得る。
【０１２５】
[0135]  ブロック１７１５において、ＵＥ１１５は、図２乃至７を参照して説明されたように、受信されたシグナリングにしたがってＣＳＩ ＲＳを受信し得る。特定の例では、ブロック１７１５の動作は、図８を参照して説明されたように受信機８０５によって実施され得る。
【０１２６】
[0136]  ブロック１７２０において、ＵＥ１１５は、図２乃至７を参照して説明されたように、ＣＳＩ ＲＳに少なくとも部分的に基づいてＣＱＩを計算し得る。特定の例では、ブロック１７２０の動作は、図９を参照して説明されたように、ＣＱＩモジュール９１０によって実施され得る。
【０１２７】
[0137]  図１８は、本開示のさまざまな態様にしたがってコンテンション・ベース・スペクトルにおけるＣＳＩ ＲＳのための方法１８００を例示するフローチャートを示す。方法１８００の動作は、図１乃至１５を参照して説明されたように、ＵＥ１１５またはそれのコンポーネントによってインプリメントされ得る。例えば、方法１８００の動作は、図８至１１を参照して説明されたように、ＣＳＩ ＲＳモジュール８１０によって実施され得る。いくつかの例では、ＵＥ１１５は、ＵＥ１１５の機能的要素を制御して以下に説明される機能を実施するためにコードのセットを実行し得る。さらに、または代替として、ＵＥ１１５は、専用ハードウェアを使用して以下に説明される機能の態様を実施し得る。方法１８００はまた、図１６の方法１６００および図１７の方法１７００の態様を組み込み得る。
【０１２８】
[0138]  ブロック１８０５において、ＵＥ１１５は、図２乃至７を参照して説明されたように、ＣＳＩ ＲＳの存在を示すシグナリングを受信し得る。特定の例では、ブロック１８０５の動作は、図９を参照して説明されたように、ＣＳＩ ＲＳインジケーションモジュール９０５によって実施され得る。
【０１２９】
[0139]  ブロック１８１０において、ＵＥ１１５は、図２乃至７を参照して説明されたように、ＣＳＩ ＲＳがＰＤＣＣＨの後に受信され得るように、ＰＤＣＣＨを受信し得る。特定の例では、ブロック１８１０の動作は、図１０を参照して説明されたように、ＰＤＣＣＨモジュール１０１０によって実施され得る。
【０１３０】
[0140]  ブロック１８１５において、ＵＥ１１５は、図２乃至７を参照して説明されたように、受信されたシグナリングにしたがってＣＳＩ ＲＳを受信し得る。特定の例では、ブロック１８１５の動作は、図８を参照して説明されたように、受信機８０５によって実施され得る。
【０１３１】
[0141]  ブロック１８２０において、ＵＥ１１５は、図２乃至７を参照して説明されたように、ＣＳＩ ＲＳに少なくとも部分的に基づいてＣＱＩを計算し得る。特定の例では、ブロック１８２０の動作は、図９を参照して説明されたように、ＣＱＩモジュール９１０によって実施され得る。
【０１３２】
[0142]  図１９は、本開示のさまざまな態様にしたがってコンテンション・ベース・スペクトルにおけるＣＳＩ ＲＳのための方法１９００を例示するフローチャートを示す。方法１９００の動作は、図１乃至１５を参照して説明されたように、ＵＥ１１５またはそれのコンポーネントによってインプリメントされ得る。例えば、方法１９００の動作は、図８至１１を参照して説明されたように、ＣＳＩ ＲＳモジュール８１０によって実施され得る。いくつかの例では、ＵＥ１１５は、ＵＥ１１５の機能的要素を制御して以下に説明される機能を実施するためにコードのセットを実行し得る。さらに、または代替として、ＵＥ１１５は、専用ハードウェアを使用して以下に説明される機能の態様を実施し得る。方法１９００はまた、図１６の方法１６００、図１７の方法１７００、および図１８の方法１８００の態様を組み込み得る。
【０１３３】
[0143]  ブロック１９０５において、ＵＥ１１５は、図２乃至７を参照して説明されたように、ＣＳＩ ＲＳの存在を示すシグナリングを受信し得る。特定の例では、ブロック１９０５の動作は、図９を参照して説明されたように、ＣＳＩ ＲＳインジケーションモジュール９０５によって実施され得る。
【０１３４】
[0144]  ブロック１９１０において、ＵＥ１１５は、図２乃至７を参照して説明されたように、受信されたシグナリングにしたがってＣＳＩ ＲＳを受信し得る。特定の例では、ブロック１９１０の動作は、図８を参照して説明されたように受信機８０５によって実施され得る。
【０１３５】
[0145]  ブロック１９１５において、ＵＥ１１５は、図２乃至７を参照して説明されたように、ＣＳＩ ＲＳに少なくとも部分的に基づいてＣＱＩを計算し得る。特定の例では、ブロック１９１５の動作は、図９を参照して説明されたように、ＣＱＩモジュール９１０によって実施され得る。
【０１３６】
[0146]  ブロック１９２０において、ＵＥ１１５は、ＣＱＩを含む報告を送信し得、報告は、図２乃至７を参照して説明されたように、ＣＱＩがＣＳＩ ＲＳに少なくとも部分的に基づくことのインジケーションを含み得る。特定の例では、ブロック１９２０の動作は、図８を参照して説明されたように送信機８１５によって実施され得る。
【０１３７】
[0147]  図２０は、本開示のさまざまな態様にしたがってコンテンション・ベース・スペクトルにおけるＣＳＩ ＲＳのための方法２０００を例示するフローチャートを示す。方法２０００の動作は、図１乃至１５を参照して説明されたように、ＵＥ１１５またはそれのコンポーネントによってインプリメントされ得る。例えば、方法２０００の動作は、図８至１１を参照して説明されたように、ＣＳＩ ＲＳモジュール８１０によって実施され得る。いくつかの例では、ＵＥ１１５は、ＵＥ１１５の機能的要素を制御して以下に説明される機能を実施するためにコードのセットを実行し得る。さらに、または代替として、ＵＥ１１５は、専用ハードウェアを使用して以下に説明される機能の態様を実施し得る。方法２０００はまた、図１６の方法１６００、図１７の方法１７００、図１８の方法１８００および図１９の方法１９００の態様を組み込み得る。
【０１３８】
[0148]  ブロック２００５において、ＵＥ１１５は、図２乃至７を参照して説明されたように、ＣＳＩ ＲＳの存在を示す第１のサブフレームを識別し得る。特定の例では、ブロック２００５の動作は、図１０を参照して説明されたように、ＣＳＩ ＲＳサブフレーム識別モジュール１０２０によって実施され得る。
【０１３９】
[0149]  ブロック２０１０において、ＵＥ１１５は、図２乃至７を参照して説明されたように、識別された第１のサブフレームおよびオフセットに少なくとも部分的に基づいて第２のサブフレームがＣＳＩ ＲＳを含むことを決定し得る。特定の例では、ブロック２０１０の動作は、図１０を参照して説明されたように、ＣＳＩ ＲＳサブフレーム識別モジュール１０２０によって実施され得る。
【０１４０】
[0150]  ブロック２０１５において、ＵＥ１１５は、図２乃至７を参照して説明されたように、第２のサブフレームの間にＣＳＩ ＲＳを受信し得る。特定の例では、ブロック２０１５の動作は、図８を参照して説明されたように受信機８０５によって実施され得る。
【０１４１】
[0151]  図２１は、本開示のさまざまな態様にしたがってコンテンション・ベース・スペクトルにおけるＣＳＩ ＲＳのための方法２１００を例示するフローチャートを示す。方法２１００の動作は、図１乃至１５を参照して説明されたように、基地局１０５またはそれのコンポーネントによってインプリメントされ得る。例えば、方法２１００の動作は、図１２乃至１５を参照して説明されたように、基地局ＣＳＩ ＲＳモジュール１２１０によって実施され得る。いくつかの例では、基地局１０５は、基地局１０５の機能的要素を制御して以下に説明される機能を実施するためにコードのセットを実行し得る。さらに、または代替として、基地局１０５は、専用ハードウェアを使用して以下に説明される機能の態様を実施し得る。
【０１４２】
[0152]  ブロック２１０５において、基地局１０５は、図２乃至７を参照して説明されたように、ＣＳＩ ＲＳの存在を示すシグナリングを送信し得る。特定の例では、ブロック２１０５の動作は、図１３を参照して説明されたように、基地局ＣＳＩ ＲＳインジケーションモジュール１３０５によって実施され得る。
【０１４３】
[0153]  ブロック２１１０において、基地局１０５は、図２乃至７を参照して説明されたように、シグナリングにしたがってＣＳＩ ＲＳを送信し得る。特定の例では、ブロック２１１０の動作は、図１２を参照して説明されたように送信機１２１５によって実施され得る。
【０１４４】
[0154]  ブロック２１１５において、基地局１０５は、図２乃至７を参照して説明されたように、ＣＳＩ ＲＳに少なくとも部分的に基づいて計算されたＣＱＩを含む報告を受信し得る。特定の例では、ブロック２１１５の動作は、図１３を参照して説明されたように、基地局ＣＱＩモジュール１３１０によって実施され得る。
【０１４５】
[0155]  図２２は、本開示のさまざまな態様にしたがってコンテンション・ベース・スペクトルにおけるＣＳＩ ＲＳのための方法２２００を例示するフローチャートを示す。方法２２００の動作は、図１乃至１５を参照して説明されたように、基地局１０５またはそれのコンポーネントによってインプリメントされ得る。例えば、方法２２００の動作は、図１２乃至１５を参照して説明されたように、基地局ＣＳＩ ＲＳモジュール１２１０によって実施され得る。いくつかの例では、基地局１０５は、基地局１０５の機能的要素を制御して以下に説明される機能を実施するためにコードのセットを実行し得る。さらに、または代替として、基地局１０５は、専用ハードウェアを使用して以下に説明される機能の態様を実施し得る。
【０１４６】
[0156]  ブロック２２０５において、基地局１０５は、図２乃至７を参照して説明されたように、チャネルＣＳＩ ＲＳの存在を示す第１のサブフレームを識別し得る。特定の例では、ブロック２２０５の動作は、図１３を参照して説明されたように、基地局ＣＳＩ ＲＳサブフレーム識別モジュール１３１５によって実施され得る。
【０１４７】
[0157]  ブロック２２１０において、基地局１０５は、図２乃至７を参照して説明されたように、識別された第１のサブフレームおよびオフセットに少なくとも部分的に基づいて第２のサブフレームがＣＳＩ ＲＳを含むことを決定し得る。特定の例では、ブロック２２１０の動作は、図１０を参照して説明されたように、ＣＳＩ ＲＳサブフレーム識別モジュール１０２０によって実施され得る。
【０１４８】
[0158]  ブロック２２１５において、基地局１０５は、図２乃至７を参照して説明されたように、第２のサブフレームの間にＣＳＩ ＲＳを送信し得る。特定の例では、ブロック２２１５の動作は、図１２を参照して説明されたように送信機１２１５によって実施され得る。
【０１４９】
[0159]  かくして、方法１６００、１７００、１８００、１９００、２０００、２１００、および２２００は、アンライセンス・スペクトルにおけるＣＳＩ ＲＳを提供し得る。方法１６００、１７００、１８００、１９００、２０００、２１００、および２２００は、可能なインプリメンテーションを説明しており、動作およびステップは、他のインプリメンテーションが可能になるように、再配置またはそうでない場合は修正され得ることに留意されたい。いくつかの例では、方法１６００、１７００、１８００、１９００、２０００、２１００、および２２００のうちの２つ以上からの態様が組み合され得る。
【０１５０】
[0160]  本書における説明は、例を提供しており、特許請求の範囲に記載されている範囲、適用可能性、または例を限定してはいない。論述される要素の機能および配置の変更が、本開示の範囲から逸脱することなく、為され得る。さまざまな例は、適宜、さまざまなプロシージャまたはコンポーネントを省略、代用、あるいは追加し得る。また、いくつかの例に関して説明される特徴は、他の例において組み合され得る。
【０１５１】
[0161]  本書で説明された技術は、符号分割多元接続（ＣＤＭＡ）、時分割多元接続（ＴＤＭＡ）、周波数分割多元接続（ＦＤＭＡ）、直交周波数分割多元接続（ＯＦＤＭＡ）、シングル・キャリア周波数分割多元接続（ＳＣ−ＦＤＭＡ）、および他のシステムのような、さまざまなワイヤレス通信システムに対して使用され得る。「システム」および「ネットワーク」という用語は、交換可能に使用されることが多い。符号分割多元接続（ＣＤＭＡ）システムは、ＣＤＭＡ２０００、ユニバーサル地上無線アクセス（ＵＴＲＡ）などのような無線技術をインプリメントし得る。ＣＤＭＡ２０００は、ＩＳ−２０００、ＩＳ−９５、およびＩＳ−８５６規格をカバーする。ＩＳ−２０００リリース０およびＡは、一般に、ＣＤＭＡ２０００ １Ｘ、１Ｘなどと呼ばれる。ＩＳ−８５６（ＴＩＡ−８５６）は、一般に、ＣＤＭＡ２０００ １ｘＥＶ−ＤＯ、高速パケット・データ（ＨＲＰＤ）などと呼ばれる。ＵＴＲＡは、広帯域ＣＤＭＡ（ＷＣＤＭＡ（登録商標））およびＣＤＭＡの他の変形物を含む。時分割多元接続（ＴＤＭＡ）システムは、モバイル通信のためのグローバル・システム（ＧＳＭ（登録商標））のような無線技術をインプリメントし得る。直交周波数分割多元接続（ＯＦＤＭＡ）システムは、ウルトラ・モバイル・ブロードバンド（ＵＭＢ）、発展型ＵＴＲＡ（Ｅ−ＵＴＲＡ）、ＩＥＥＥ８０２．１１（Ｗｉ−Ｆｉ）、ＩＥＥＥ８０２．１６（ＷｉＭＡＸ）、ＩＥＥＥ８０２．２０、フラッシュＯＦＤＭなど、の無線技術をインプリメントし得る。ＵＴＲＡおよびＥ−ＵＴＲＡは、ユニバーサル・モバイル電気通信システム（ＵＭＴＳ）の一部である。３ＧＰＰ（登録商標）ロング・ターム・エボリューション（ＬＴＥ）およびＬＴＥ−アドバンスト（ＬＴＥ−ａ）は、Ｅ−ＵＴＲＡを使用するユニバーサル・モバイル電気通信システム（ＵＭＴＳ）の新リリースである。ＵＴＲＡ、Ｅ−ＵＴＲＡ、ユニバーサル・モバイル電気通信システム（ＵＭＴＳ）、ＬＴＥ、ＬＴＥ−ａ、およびモバイル通信のためのグローバル・システム（ＧＳＭ）は、「第３世代パートナーシップ・プロジェクト」（３ＧＰＰ）という名称の団体からの文書中に説明されている。ＣＤＭＡ２０００およびＵＭＢは、「第３世代パートナーシップ・プロジェクト２」（３ＧＰＰ２）という名称の団体からの文書中に説明されている。本書で説明されている技術は、上述されたシステムおよび無線技術ならびに他のシステムおよび無線技術に対して使用され得る。しかしながら、本書での説明は、実例を目的としてＬＴＥシステムを説明しており、ＬＴＥの専門用語が上記の説明の大部分中で使用されているが、本技術は、ＬＴＥアプリケーションを超えて適用可能である。
【０１５２】
[0162]  ＬＴＥ／ＬＴＥ−ａネットワークでは、本書で説明されるこのようなネットワークを含めて、発展型ノードＢ（ｅＮＢ）という用語は、概して、基地局を説明するために使用され得る。本書に説明されている１つまたは複数のワイヤレス通信システムは、異なるタイプの発展型ノードＢ（ｅＮＢ）がさまざまな地理的領域にカバレッジを提供する異種ＬＴＥ／ＬＴＥ−ａネットワークを含み得る。例えば、各ｅＮＢまたは基地局は、マクロ・セル、スモール・セル、または他のタイプのセルに通信カバレッジを提供し得る。「セル（cell）」という用語は、コンテキストに依存して、基地局、基地局に関連付けされたキャリアまたはコンポーネント・キャリア、あるいはキャリアまたは基地局のカバレッジ・エリア（例えば、セクタなど）を説明するために使用されることができる３ＧＰＰの用語である。
【０１５３】
[0163]  基地局は、基地トランシーバ局、無線基地局、アクセス・ポイント、無線トランシーバ、ノードＢ、ｅノードＢ（ｅＮＢ）、ホーム・ノードＢ、ホームｅノードＢ、または何らかの他の適した専門用語を含み得るか、当業者によってそれらで呼ばれ得る。基地局のための地理的カバレッジ・エリアは、カバレッジ・エリアの一部を構成するセクタに分割され得る。本書に説明される１つまたは複数のワイヤレス通信システムは、異なるタイプの基地局（例えば、マクロまたはスモール・セルの基地局）を含み得る。本書に説明されるＵＥは、マクロｅＮＢ、スモール・セルｅＮＢ、中継基地局などを含むさまざまなタイプの基地局およびネットワーク機器と通信することが可能であり得る。異なる技術に関しては重複している地理的カバレッジ・エリアが存在し得る。
【０１５４】
[0164]  マクロ・セルは概して、比較的大きい地理的エリア（例えば、半径数キロメートル）をカバーし、ネットワーク・プロバイダにサービス加入しているＵＥによる無制限のアクセスを可能にし得る。スモール・セルは、マクロ・セルと比較すると、マクロ・セルと同じまたは異なる（例えば、ライセンス、アンライセンスなどの）周波数帯域で動作し得る低電力基地局である。スモール・セルは、さまざまな例にしたがったピコ・セル、フェムト・セル、およびマイクロ・セルを含み得る。例えば、ピコ・セルは、小さい地理的エリアをカバーし得、ネットワーク・プロバイダにサービス加入しているＵＥによる無制限アクセスを可能にし得る。フェムト・セルはまた、小さい地理的エリア（例えば、家）をカバーし得、フェムト・セルとの関連付けを有するＵＥ（例えば、クローズド加入者グループ（ＣＳＧ）中のＵＥ、家の中にいるユーザのためのＵＥなど）による制限されたアクセスを提供し得る。マクロ・セルに対するｅＮＢは、マクロｅＮＢと呼ばれ得る。スモール・セルに対するｅＮＢは、スモール・セルｅＮＢ、ピコｅＮＢ、フェムトｅＮＢ、またはホームｅＮＢと呼ばれ得る。ｅＮＢは、１つまたは複数（例えば、２つ、３つ、４つなど）のセル（例えば、コンポーネント・キャリア）をサポートし得る。ＵＥは、マクロｅＮＢ、スモール・セルｅＮＢ、中継基地局などを含むさまざまなタイプの基地局およびネットワーク機器と通信することが可能であり得る。
【０１５５】
[0165]  本書に説明される１つまたは複数のワイヤレス通信システムは、同期または非同期動作をサポートし得る。同期動作の場合、基地局は、同様のフレーム・タイミングを有し得、異なる基地局からの送信は、時間的にほぼアラインされ得る（approximately aligned in time）。非同期動作の場合、基地局は、異なるフレーム・タイミングを有し得、異なる基地局からの送信は、時間的にアラインされないことがあり得る。本書で説明される技術は、同期または非同期動作のいずれかに対して使用され得る。
【０１５６】
[0166]  ダウンリンク送信は、順方向リンク送信とも呼ばれ得、一方でアップリンク送信は、逆方向リンク送信とも呼ばれ得る。例えば図１および２のワイヤレス通信システム１００および２００を含む、本書に説明されている各通信リンクは、１つまたは複数のキャリアを含み得、各キャリアは、複数のサブキャリア（例えば、異なる周波数の波形信号）から構成される信号であり得る。変調された各信号は、異なるサブキャリア上で送られ得、制御情報（例えば、基準信号、制御チャネルなど）、オーバーヘッド情報、ユーザ・データなどを搬送し得る。本書に説明される通信リンク（例えば、図１の通信リンク１２５）は、（例えば、ペアのスペクトル・リソースを使用する）周波数分割複信（ＦＤＤ）、または（例えば、ペアではないスペクトル・リソースを使用する）時分割複信（ＴＤＤ）動作、を使用して双方向通信を送信し得る。周波数分割複信（ＦＤＤ）に関するフレーム構造（例えば、フレーム構造タイプ１）およびＴＤＤに関するフレーム構造（例えば、フレーム構造タイプ２）が定義され得る。
【０１５７】
[0167]  添付された図面に関連して本書に記載された説明は、例証的な構成を説明しており、インプリメントされ得るまたは特許請求の範囲の範囲内にある全ての例を表してはいない。本書で使用される「実例的な」という用語は、「好ましい」または「他の例よりも有利である」ということではなく、「例、事例、または例示としての役割をすること」を意味する。詳細な説明は、説明された技術の理解を提供する目的で具体的な詳細を含む。しかしながら、これらの技術は、これらの具体的な詳細なしに実現され得る。いくつかの事例では、周知の構造およびデバイスは、説明されている例のコンセプトを暖味にすることを回避するためにダイヤグラムの形態で図示されている。
【０１５８】
[0168]  添付の図面において、同様のコンポーネントまたは特徴は、同じ参照ラベルを有し得る。さらに、同じタイプのさまざまなコンポーネントは、参照ラベルに、ダッシュと、同様のコンポーネント間を区別する第２のラベルとを後続させることによって区別され得る。本明細書において第１の参照ラベルのみが使用される場合、第２の参照ラベルに関係なく同じ第１の参照ラベルを有する同様のコンポーネントのいずれか１つに、説明が適用可能である。
【０１５９】
[0169]  本書に説明される情報および信号は、多様な異なる技術および技法のうちの任意のものを使用して表わされ得る。例えば、上記の説明全体を通して参照され得る、データ、命令、コマンド、情報、信号、ビット、シンボル、およびチップは、電圧、電流、電磁波、磁界または磁気粒子、光場または光粒子、もしくはこれらの任意の組み合わせによって表わされ得る。
【０１６０】
[0170]  本書での開示に関連して説明されたさまざまな例示的なブロックおよびモジュールは、汎用プロセッサ、ＤＳＰ、ＡＳＩＣ、ＦＰＧＡまたは他のプログラマブル論理デバイス、離散ゲートまたはトランジスタ論理、離散ハードウェア・コンポーネント、あるいは本書で説明された機能を実施するように設計されたそれらの任意の組み合わせを用いてインプリメントまたは実施され得る。汎用プロセッサは、マイクロプロセッサであり得るが、代替では、プロセッサは、任意の従来のプロセッサ、コントローラ、マイクロコントローラ、またはステート・マシンであり得る。プロセッサはまた、（例えば、デジタル・シグナル・プロセッサ（ＤＳＰ）とマイクロプロセッサの組み合わせ、複数のマイクロプロセッサ、ＤＳＰコアに連結した１つまたは複数のマイクロプロセッサ、または他の任意のそのような構成といった、）コンピューティング・デバイスの組み合わせとしてインプリメントされ得る。
【０１６１】
[0171]  本書で説明された機能は、ハードウェア、プロセッサによって実行されるソフトウェア、ファームウェア、またはそれらの任意の組み合わせ中でインプリメントされ得る。プロセッサによって実行されるソフトウェア中でインプリメントされる場合、機能は、コンピュータ可読媒体で、１つまたは複数の命令またはコードとして記憶または送信され得る。他の例およびインプリメンテーションは、本開示および特許請求の範囲内にある。例えば、ソフトウェアの本質により、上記で説明された機能は、プロセッサによって実行されるソフトウェア、ハードウェア、ファームウェア、ハードワイヤリング、またはこれらの任意の組み合わせを使用してインプリメントされることができる。機能をインプリメントする特徴はまた、さまざまな位置において物理的に配置され得、それは、機能の一部が異なる物理的な位置においてインプリメントされるように分配されることを含む。また、請求項を含む本書で使用される場合、項目のリスト（例えば、「のうちの少なくとも１つ」または「のうちの１つまたは複数」のようなフレーズで始まる項目のリスト）において使用されるような「または（or）」は、例えばＡ、Ｂ、またはＣのうちの少なくとも１つのリストが、Ａ、またはＢ、またはＣ、またはＡＢ、またはＡＣ、またはＢＣ、またはＡＢＣ（すなわち、ＡおよびＢおよびＣ）を意味するような離接的なリスト（disjunctive list）を示す。
【０１６２】
[0172]  コンピュータ可読媒体は、１つの場所から別の場所へのコンピュータ・プログラムの転送を容易にする任意の媒体を含む通信媒体と非一時的なコンピュータ記憶媒体との両方を含む。非一時的な記憶媒体は、汎用または特殊用途コンピュータによってアクセスされることができる任意の利用可能な媒体であり得る。限定ではなく例として、非一時的なコンピュータ可読媒体は、ＲＡＭ、ＲＯＭ、電気的消去可能プログラマブル読取専用メモリ（ＥＥＰＲＯＭ（登録商標））、コンパクト・ディスク（ＣＤ）ＲＯＭまたは他の光ディスク記憶装置、磁気ディスク記憶装置または他の磁気記憶デバイス、あるいはデータ構造または命令の形態で所望のプログラム・コード手段を記憶または搬送するために使用されることができ、汎用または特殊用途コンピュータ、もしくは汎用または特殊用途プロセッサによってアクセスされることができる、任意の他の非一時的な媒体を含むことができる。また、任意の接続は、厳密にはコンピュータ可読媒体と称される。例えば、ソフトウェアが、同軸ケーブル、光ファイバー・ケーブル、ツイスト・ペア、デジタル加入者回線（ＤＳＬ）、または赤外線、無線、およびマイクロ波のようなワイヤレス技術を使用して、ウェブサイト、サーバ、またはその他の遠隔ソースから送信される場合、同軸ケーブル、光ファイバー・ケーブル、ツイスト・ペア、デジタル加入者回線（ＤＳＬ）、または赤外線、無線、およびマイクロ波のようなワイヤレス技術は、媒体の定義に含まれる。本書に使用される場合、ディスク（disk）およびディスク（disc）は、ＣＤ、レーザー・ディスク（登録商標）、光ディスク、デジタル多用途ディスク（ＤＶＤ）、フロッピー（登録商標）ディスク、およびブルーレイ（登録商標）ディスクを含み、ディスク（disk）は通常、磁気的にデータを再生するが、ディスク（disc）は、レーザーを用いて光学的にデータを再生する。上記の組み合わせもまた、コンピュータ可読媒体の範囲内に含まれる。
【０１６３】
[0173]  本書での説明は、当業者が本開示を製造または使用することを可能にするために提供される。本開示に対するさまざまな修正は、当業者にとって容易に明らかとなり、本書で定義された包括的な原理は、本開示の範囲から逸脱しないで他の変形に適用され得る。かくして、本開示は、本書に説明された例および設計に限定されるべきではなく、本書に開示された原理および新規の特徴と矛盾しない最も広い範囲が付与されるべきである。
以下に本願の出願当初の特許請求の範囲に記載された発明を付記する。
［Ｃ１］
ワイヤレス通信の方法であって、
チャネル状態情報（ＣＳＩ）基準信号（ＲＳ）の存在を示すシグナリングを受信することと、
前記受信されたシグナリングにしたがって前記ＣＳＩ ＲＳを受信することと、
前記ＣＳＩ ＲＳに少なくとも部分的に基づいてチャネル品質インジケータ（ＣＱＩ）を計算することと、を備える、方法。
［Ｃ２］
セル固有の基準信号（ＣＲＳ）を受信することをさらに備え、ここにおいて前記ＣＱＩは、前記ＣＲＳに少なくとも部分的に基づく、Ｃ１に記載の方法。
［Ｃ３］
前記ＣＲＳを受信することは、
前記ＣＲＳを備えるプリアンブルを受信することを備える、Ｃ２に記載の方法。
［Ｃ４］
物理ダウンリンク制御チャネル（ＰＤＣＣＨ）を受信することをさらに備え、ここにおいて前記ＣＳＩ ＲＳは、前記ＰＤＣＣＨの後に受信される、Ｃ１に記載の方法。
［Ｃ５］
前記ＣＳＩ ＲＳの存在を示す前記シグナリングは、物理チャネルを備える、Ｃ１に記載の方法。
［Ｃ６］
前記ＣＳＩ ＲＳの存在を示す前記シグナリングは、物理制御フォーマット・インジケータ・チャネル（ＰＣＦＩＣＨ）の一部分または物理フレーム・フォーマット・インジケータ・チャネル（ＰＦＦＩＣＨ）の一部分を備える、Ｃ５に記載の方法。
［Ｃ７］
前記ＣＳＩ ＲＳのシグナリングを示す前記シグナリングは、物理ダウンリンク制御チャネル（ＰＤＣＣＨ）の一部分を備える、Ｃ５に記載の方法。
［Ｃ８］
前記ＣＳＩ ＲＳは、複数のシンボル期間を備える、Ｃ１に記載の方法。
［Ｃ９］
前記ＣＳＩ ＲＳの密度は、干渉測定ギャップに少なくとも部分的に基づく、Ｃ８に記載の方法。
［Ｃ１０］
前記ＣＳＩ ＲＳを受信することは、
ダウンリンク（ＤＬ）バーストの最後の送信時間インターバル（ＴＴＩ）において前記ＣＳＩ ＲＳを受信することを備える、Ｃ１に記載の方法。
［Ｃ１１］
前記ＣＳＩ ＲＳを受信することは、
前記受信されたシグナリングにしたがって第１のＣＳＩ ＲＳおよび第２のＣＳＩ ＲＳを備えるＤＬバーストを受信することを備え、ここにおいて前記ＣＱＩは、前記第１のＣＳＩ ＲＳに少なくとも部分的に基づいて計算された第１のＣＱＩおよび前記第２のＣＳＩ ＲＳに少なくとも部分的に基づいて計算された第２のＣＱＩを備える、Ｃ１に記載の方法。
［Ｃ１２］
前記ＣＱＩを備える報告を送信することをさらに備え、ここにおいて前記報告は、前記ＣＱＩが前記ＣＳＩ ＲＳに少なくとも部分的に基づくことのインジケーションを備える、Ｃ１に記載の方法。
［Ｃ１３］
ワイヤレス通信の方法であって、
チャネル状態情報（ＣＳＩ）基準信号（ＲＳ）の存在を示すシグナリングを送信することと、
前記シグナリングにしたがって前記ＣＳＩ ＲＳを送信することと、
前記ＣＳＩ ＲＳに少なくとも部分的に基づいて計算されたＣＱＩを備える報告を受信することと、を備える、方法。
［Ｃ１４］
ＣＳＩ ＲＳベースのＣＱＩ報告のために構成されたユーザ機器（ＵＥ）を識別することをさらに備え、ここにおいて前記シグナリングは、前記ＵＥを識別することに少なくとも部分的に基づいて送信される、Ｃ１３に記載の方法。
［Ｃ１５］
前記ＣＱＩが前記ＣＳＩ ＲＳを送信することに少なくとも部分的に基づいて前記ＣＳＩ ＲＳを使用して計算されたことを決定することをさらに備える、Ｃ１３に記載の方法。
［Ｃ１６］
前記ＣＱＩがＵＥから受信されたインジケータに少なくとも部分的に基づいて前記ＣＳＩ ＲＳを使用して計算されたことを決定することをさらに備え、ここにおいて前記報告は、前記インジケータを備える、Ｃ１３に記載の方法。
［Ｃ１７］
多地点協調（ＣｏＭＰ）スキームにおいてＵＥをサービスするための送信パターンを決定することと、
前記送信パターンに少なくとも部分的に基づいて前記シグナリングおよび前記ＣＳＩＲＳを送信することと、をさらに備える、Ｃ１３に記載の方法。
［Ｃ１８］
前記シグナリングにしたがって前記ＣＳＩ ＲＳを送信することは、前記シグナリングにしたがって第２のユーザ機器（ＵＥ）に向けられた第２のＣＳＩ ＲＳおよび第１のＵＥに向けられた第１のＣＳＩ ＲＳを備えるＤＬバーストを送信することを備え、
前記ＣＱＩを備える前記報告を受信することは、前記第１のＣＳＩ ＲＳに少なくとも部分的に基づいて前記第１のＵＥによって計算された第１のＣＱＩを備える第１の報告を受信することと、前記第２のＣＳＩ ＲＳに少なくとも部分的に基づいて前記第２のＵＥによって計算された第２のＣＱＩを備える第２の報告を受信することとを備える、Ｃ１３に記載の方法。
［Ｃ１９］
チャネル状態情報（ＣＳＩ）基準信号（ＲＳ）の存在を示すシグナリングを受信するための手段と、
前記受信されたシグナリングにしたがって前記ＣＳＩ ＲＳを受信するための手段と、
前記ＣＳＩ ＲＳに少なくとも部分的に基づいてチャネル品質インジケータ（ＣＱＩ）を計算するための手段と、を備える、ワイヤレス通信のための装置。
［Ｃ２０］
セル固有の基準信号（ＣＲＳ）を受信するための手段をさらに備え、ここにおいて前記ＣＱＩを計算するための手段は、前記ＣＲＳに少なくとも部分的に基づいて動作可能である、Ｃ１９に記載の装置。
［Ｃ２１］
前記ＣＲＳを受信するための前記手段は、
前記ＣＲＳを備えるプリアンブルを受信するための手段を備える、Ｃ２０に記載の装置。
［Ｃ２２］
物理ダウンリンク制御チャネル（ＰＤＣＣＨ）を受信するための手段をさらに備え、ここにおいて前記ＣＳＩ ＲＳを受信するための前記手段は、前記ＰＤＣＣＨに少なくとも部分的に基づいて動作可能である、Ｃ１９に記載の装置。
［Ｃ２３］
前記ＣＳＩ ＲＳの存在を示す前記シグナリングは、物理チャネルを備える、Ｃ１９に記載の装置。
［Ｃ２４］
前記ＣＳＩ ＲＳは、複数のシンボル期間を備える、Ｃ１９に記載の装置。
［Ｃ２５］
前記ＣＳＩ ＲＳの密度は、干渉測定ギャップに少なくとも部分的に基づく、Ｃ２４に記載の装置。
［Ｃ２６］
前記ＣＳＩ ＲＳを受信するための前記手段は、
ダウンリンク（ＤＬ）バーストの最後の送信時間インターバル（ＴＴＩ）において前記ＣＳＩ ＲＳを受信するための手段を備える、Ｃ１９に記載の装置。
［Ｃ２７］
前記ＣＱＩを備える報告を送信するための手段をさらに備え、ここにおいて前記報告は、前記ＣＱＩが前記ＣＳＩ ＲＳに少なくとも部分的に基づくことのインジケーションを備える、Ｃ１９に記載の装置。
［Ｃ２８］
ワイヤレス通信のための装置であって、
チャネル状態情報（ＣＳＩ）基準信号（ＲＳ）の存在を示すシグナリングを送信するための手段と、
前記シグナリングにしたがって前記ＣＳＩ ＲＳを送信するための手段と、
前記ＣＳＩ ＲＳに少なくとも部分的に基づいて計算されたＣＱＩを備える報告を受信するための手段と、を備える、装置。
［Ｃ２９］
ＣＳＩ ＲＳベースのＣＱＩ報告のために構成されたユーザ機器（ＵＥ）を識別するための手段をさらに備え、ここにおいて前記シグナリングを送信するための前記手段は、前記ＵＥの識別に少なくとも部分的に基づいて動作可能である、Ｃ２８に記載の装置。
［Ｃ３０］
前記ＣＱＩが前記ＣＳＩ ＲＳを使用して計算され、前記ＣＳＩ ＲＳを送信することに少なくとも部分的に基づいて動作可能であることを決定するための手段をさらに備える、Ｃ２８に記載の装置。
【図１】
0006805181.tif 000002
【図２】
0006805181.tif 000003
【図３】
0006805181.tif 000004
【図４】
0006805181.tif 000005
【図５】
0006805181.tif 000006
【図６】
0006805181.tif 000007
【図７】
0006805181.tif 000008
【図８】
0006805181.tif 000009
【図９】
0006805181.tif 000010
【図１０】
0006805181.tif 000011
【図１１】
0006805181.tif 000012
【図１２】
0006805181.tif 000013
【図１３】
0006805181.tif 000014
【図１４】
0006805181.tif 000015
【図１５】
0006805181.tif 000016
【図１６】
0006805181.tif 000017
【図１７】
0006805181.tif 000018
【図１８】
0006805181.tif 000019
【図１９】
0006805181.tif 000020
【図２０】
0006805181.tif 000021
【図２１】
0006805181.tif 000022
【図２２】
0006805181.tif 000023